(57)【特許請求の範囲】
【請求項１】
複数の端末装置間の呼接続を制御する呼制御装置において、
複数の端末装置の装置情報をグループ毎に記憶するグループ記憶手段と、
複数の中継装置のそれぞれを介して前記端末装置との通信を行なう手段と、
前記中継装置の位置関係を記憶する位置記憶手段と、
一の端末装置に対する呼接続の要求を受け付ける手段と、
呼接続の要求を受け付けた場合、前記一の端末装置が属するグループ内の端末装置の装置情報を前記グループ記憶手段から取得する取得手段と、
該取得手段が取得した装置情報の端末装置との通信に要する通信帯域の予約を、該端末装置との通信を行なう際に用いる中継装置に依頼する予約依頼手段と、
該予約依頼手段が依頼した予約が成功した端末装置に対して、該端末装置との通信を行なう際に用いる中継装置を介して呼出処理を行なう呼出手段と、
該呼出手段による呼出処理に対して一の端末装置からの応答を受け付ける手段と、
前記応答をした端末装置及び前記呼接続の要求をした端末装置間の呼接続の確立を行なう手段と、
前記応答を受け付けるまでの間、前記予約依頼手段が依頼した予約が失敗した通信帯域の予約を前記予約依頼手段に再度依頼させる制御手段と、
前記予約依頼手段が依頼した予約が成功した端末装置がない中継装置がある場合、該中継装置の近傍の中継装置を前記位置記憶手段の記憶内容から特定する手段と、
前記近傍の中継装置に、該中継装置を介して通信が可能な端末装置との通信に要する通信帯域の予約を依頼する手段と、
該予約が成功した端末装置に対して、前記近傍の中継装置を介した呼出処理を前記呼出手段に行なわせる手段と、
該呼出処理に対して一の端末装置からの応答を受け付けた場合、該応答をした端末装置及び前記呼接続の要求をした端末装置間の呼接続の確立を行なう手段と
を備えることを特徴とする呼制御装置。
【請求項２】
前記予約依頼手段は、
前記取得手段が取得した装置情報の端末装置のそれぞれとの通信に要する通信帯域のうちの大きい通信帯域の予約を依頼する手段と、
前記予約が失敗した場合、前記取得手段が取得した装置情報の端末装置のそれぞれとの通信に要する通信帯域のうちの前記大きい通信帯域よりも小さい通信帯域のいずれかを選択する手段と、
選択された通信帯域の予約を依頼する手段とを備え、
前記呼出手段は、予約が成功した通信帯域以下の通信帯域を要する端末装置に対して呼出処理を行なうように構成されていること
を特徴とする請求項１に記載の呼制御装置。
【請求項３】
それぞれの端末装置毎に、各端末装置との通信に要する通信帯域の予約が成功したか否かを示す予約情報を記憶する予約情報記憶手段と、
前記予約依頼手段が依頼した予約が成功した場合、予約が成功した通信帯域以下の通信帯域を要する端末装置に対応させて、予約が成功したことを示す予約情報を前記予約情報記憶手段に記憶させる手段と、
前記予約依頼手段が依頼した予約が失敗した場合、予約が失敗した通信帯域以上の通信帯域を要する端末装置に対応させて、予約が失敗したことを示す予約情報を前記予約情報記憶手段に記憶させる手段とを備え、
前記呼出手段は、予約が成功したことを示す予約情報が前記予約情報記憶手段に記憶してある端末装置に対して呼出処理を行なうように構成されており、
前記制御手段は、予約が失敗したことを示す予約情報が前記予約情報記憶手段に記憶してある端末装置との通信に要する通信帯域の予約を前記予約依頼手段に再度依頼させるように構成されていることを特徴とする請求項１又は２に記載の呼制御装置。
【請求項４】
通信帯域の使用状況の変化を受け付ける手段及び所定時間を計時する手段の少なくとも一方を備え、
前記制御手段は、通信帯域の使用状況の変化を受け付けた場合、又は所定時間の計時を終了した場合、前記予約依頼手段が依頼した予約が失敗した通信帯域の予約を前記予約依頼手段に再度依頼させるように構成されていることを特徴とする請求項１乃至３のいずれかひとつに記載の呼制御装置。
【請求項５】
コンピュータに、複数の端末装置間の呼接続を制御させるためのコンピュータプログラムにおいて、
コンピュータに、
複数の中継装置のそれぞれを介して前記端末装置との通信を行なうステップと、
一の端末装置に対する呼接続の要求を受け付けるステップと、
呼接続の要求を受け付けた場合、前記一の端末装置が属するグループ内の端末装置の装置情報を取得する取得ステップと、
該取得ステップで取得した装置情報の端末装置との通信に要する通信帯域の予約を、該端末装置との通信を行なう際に用いる中継装置に依頼する予約依頼ステップと、
該予約依頼ステップで依頼した予約が成功した端末装置に対して、該端末装置との通信を行なう際に用いる中継装置を介して呼出処理を行なう呼出ステップと、
前記呼出処理に対して一の端末装置からの応答を受け付けるステップと、
前記応答をした端末装置及び前記呼接続の要求をした端末装置間の呼接続の確立を行なうステップと、
前記応答を受け付けるまでの間、前記予約依頼ステップで依頼した予約が失敗した通信帯域の予約を再度依頼するステップと、
前記予約依頼ステップで依頼した予約が成功した端末装置がない中継装置がある場合、該中継装置の近傍の中継装置を特定するステップと、
前記近傍の中継装置に、該中継装置を介して通信が可能な端末装置との通信に要する通信帯域の予約を依頼するステップと、
該予約が成功した端末装置に対して、前記近傍の中継装置を介して呼出処理を行なうステップと、
該呼出処理に対して一の端末装置からの応答を受け付けた場合、該応答をした端末装置及び前記呼接続の要求をした端末装置間の呼接続の確立を行なうステップと
を実行させるためのコンピュータプログラム。
【請求項６】
前記予約依頼ステップは、
前記取得ステップで取得した装置情報の端末装置のそれぞれとの通信に要する通信帯域のうちの大きい通信帯域の予約を依頼するステップと、
前記予約が失敗した場合、前記取得ステップで取得した装置情報の端末装置のそれぞれとの通信に要する通信帯域のうちの前記大きい通信帯域よりも小さい通信帯域のいずれかを選択するステップと、
選択された通信帯域の予約を依頼するステップとを含み、
前記呼出ステップは、予約が成功した通信帯域以下の通信帯域を要する端末装置に対して呼出処理を行なうことを特徴とする請求項５に記載のコンピュータプログラム。
【請求項７】
複数の端末装置間の呼接続を制御する呼制御方法において、
複数の中継装置のそれぞれを介して前記端末装置との通信を行なうステップと、
一の端末装置に対する呼接続の要求を受け付けるステップと、
呼接続の要求を受け付けた場合、前記一の端末装置が属するグループ内の端末装置の装置情報を取得する取得ステップと、
該取得ステップで取得した装置情報の端末装置との通信に要する通信帯域の予約を、該端末装置との通信を行なう際に用いる中継装置に依頼する予約依頼ステップと、
該予約依頼ステップで依頼した予約が成功した端末装置に対して、該端末装置との通信を行なう際に用いる中継装置を介して呼出処理を行なう呼出ステップと、
前記呼出処理に対して一の端末装置からの応答を受け付けるステップと、
前記応答をした端末装置及び前記呼接続の要求をした端末装置間の呼接続の確立を行なうステップと、
前記応答を受け付けるまでの間、前記予約依頼ステップで依頼した予約が失敗した通信帯域の予約を再度依頼するステップと、
前記予約依頼ステップで依頼した予約が成功した端末装置がない中継装置がある場合、該中継装置の近傍の中継装置を特定するステップと、
前記近傍の中継装置に、該中継装置を介して通信が可能な端末装置との通信に要する通信帯域の予約を依頼するステップと、
該予約が成功した端末装置に対して、前記近傍の中継装置を介して呼出処理を行なうステップと、
該呼出処理に対して一の端末装置からの応答を受け付けた場合、該応答をした端末装置及び前記呼接続の要求をした端末装置間の呼接続の確立を行なうステップと
を含むことを特徴とする呼制御方法。
【請求項８】
前記予約依頼ステップは、
前記取得ステップで取得した装置情報の端末装置のそれぞれとの通信に要する通信帯域のうちの大きい通信帯域の予約を依頼するステップと、
前記予約が失敗した場合、前記取得ステップで取得した装置情報の端末装置のそれぞれとの通信に要する通信帯域のうちの前記大きい通信帯域よりも小さい通信帯域のいずれかを選択するステップと、
選択された通信帯域の予約を依頼するステップとを含み、
前記呼出ステップは、予約が成功した通信帯域以下の通信帯域を要する端末装置に対して呼出処理を行なうことを特徴とする請求項７に記載の呼制御方法。
【請求項９】
通信を行なう複数の端末装置を備え、該端末装置間の呼接続を制御する呼制御システムにおいて、
複数の端末装置の装置情報をグループ毎に記憶するグループ記憶手段と、
複数の中継装置のそれぞれを介して前記端末装置との通信を行なう手段と、
前記中継装置の位置関係を記憶する位置記憶手段と、
一の端末装置に対する呼接続の要求を受け付ける手段と、
呼接続の要求を受け付けた場合、前記一の端末装置が属するグループ内の端末装置の装置情報を前記グループ記憶手段から取得する取得手段と、
該取得手段が取得した装置情報の端末装置との通信に要する通信帯域の予約を、該端末装置との通信を行なう際に用いる中継装置に依頼する予約依頼手段と、
該予約依頼手段が依頼した予約が成功した端末装置に対して、該端末装置との通信を行なう際に用いる中継装置を介して呼出処理を行なう呼出手段とを備え、
前記端末装置は、前記呼出手段による呼出処理に対して応答を行なう手段を備え、
前記呼出手段による呼出処理に対して一の端末装置からの応答を受け付ける手段と、
前記応答をした端末装置及び前記呼接続の要求をした端末装置間の呼接続の確立を行なう手段と、
前記応答を受け付けるまでの間、前記予約依頼手段が依頼した予約が失敗した通信帯域の予約を前記予約依頼手段に再度依頼させる制御手段と、
前記予約依頼手段が依頼した予約が成功した端末装置がない中継装置がある場合、該中継装置の近傍の中継装置を前記位置記憶手段の記憶内容から特定する手段と、
前記近傍の中継装置に、該中継装置を介して通信が可能な端末装置との通信に要する通信帯域の予約を依頼する手段と、
該予約が成功した端末装置に対して、前記近傍の中継装置を介した呼出処理を前記呼出手段に行なわせる手段と、
該呼出処理に対して一の端末装置からの応答を受け付けた場合、該応答をした端末装置及び前記呼接続の要求をした端末装置間の呼接続の確立を行なう手段と
を備えることを特徴とする呼制御システム。
【請求項１０】
前記予約依頼手段は、
前記取得手段が取得した装置情報の端末装置のそれぞれとの通信に要する通信帯域のうちの大きい通信帯域の予約を依頼する手段と、
前記予約が失敗した場合、前記取得手段が取得した装置情報の端末装置のそれぞれとの通信に要する通信帯域のうちの前記大きい通信帯域よりも小さい通信帯域のいずれかを選択する手段と、
選択された通信帯域の予約を依頼する手段とを備え、
前記呼出手段は、予約が成功した通信帯域以下の通信帯域を要する端末装置に対して呼出処理を行なうように構成されていること
を特徴とする請求項９に記載の呼制御システム。
【発明の詳細な説明】
【技術分野】
【０００１】
本発明は、複数の端末装置間の呼接続を制御する呼制御装置、該呼制御装置の動作をコンピュータによって実現するためのコンピュータプログラム、前記呼制御装置による呼制御方法、前記呼制御装置及び端末装置を備えた呼制御システムに関する。
【背景技術】
【０００２】
VoWLAN（Voice over Wireless Local Area Network）等のＩＰネットワークを介してパケットを送受信することが可能なＩＰ電話機が普及している。ＩＰ電話機は、例えばユーザの発話に基づくアナログの音声信号をデジタル信号に変換し、得られたデジタルの音声信号をパケット化してＩＰネットワークを介して通信相手のＩＰ電話機との間で送受信する。また、ＩＰ電話機は、例えば無線ＬＡＮ（Local Area Network）に設けられた呼制御サーバ及び無線アクセスポイントと共に無線ＩＰ電話システムを構成する。無線ＬＡＮに設けられた無線アクセスポイントを介した無線通信が可能なＩＰ電話機は、無線アクセスポイント及び無線ＬＡＮを介して他のＩＰ電話機との間でパケットの送受信を行なう。
【０００３】
このようなＩＰ電話システムにおいて、無線ＬＡＮを介してＩＰ電話機から着信があった場合、呼制御サーバは、無線ＬＡＮを介して発信を受け付け、発信側のＩＰ電話機の電話番号と、着信側のＩＰ電話機の電話番号とを検出し、着信側のＩＰ電話機に対して着信がある旨を通知する。着信側のＩＰ電話機は着信音を出力することによって所有者に着信があることを通知する。着信側のＩＰ電話機の所有者が応答した場合、呼制御サーバは、無線アクセスポイントを介して着信側のＩＰ電話機から応答を受け付け、着信側のＩＰ電話機と発信側のＩＰ電話機との呼接続を確立する。これにより、着信側のＩＰ電話機と発信側のＩＰ電話機との間で、それぞれのＩＰ電話機の近傍の無線アクセスポイントを介したパケットの送受信が開始される。
【０００４】
無線アクセスポイントとの間で無線通信を行なうＩＰ電話機は、一定以上の通信品質（通話品質）を確保するため、予め割り当てられた通信帯域を占有してパケットの送受信を行なっている。また、ＩＰ電話システムでは通常、１０台程度の最大同時通話数に対して、数十台のＩＰ電話機が１つの無線アクセスポイントにおける通信帯域を共用しているので、着信側のＩＰ電話機と発信側のＩＰ電話機との呼接続を確立する前に、着信側のＩＰ電話機とこのＩＰ電話機の最寄りの無線アクセスポイントとの間の通信に必要な帯域（帯域幅）を確保する必要がある。従って、呼制御サーバは、着信側のＩＰ電話機の最寄りの無線アクセスポイントに対して、着信側のＩＰ電話機が通信に要する帯域の予約を予め依頼し、予約できた場合に着信側のＩＰ電話機は、予約できた帯域を占有して通信を行なうことができる。
【０００５】
通信帯域を予約する処理は、呼制御サーバが、無線ＬＡＮを介して発信側のＩＰ電話機からの発信を受け付けた場合、着信側のＩＰ電話機の最寄りの無線アクセスポイントに依頼する。通信帯域が不足しており、通信帯域を予約できなかった場合、呼制御サーバは、無線アクセスポイントから通信帯域の予約を失敗した旨の通知を受け付け、例えば着信側のＩＰ電話機が通話中である場合と同様の処理を行なう。なお、通信帯域の予約を依頼するタイミングとしては、呼制御サーバが発信側のＩＰ電話機からの発信を受け付け、着信側のＩＰ電話機に着信を通知する前に行なう場合と、呼制御サーバが着信側のＩＰ電話機に着信を通知し、着信側のＩＰ電話機からの応答を受け付けた後に行なう場合とがある。
【０００６】
上述したような通信帯域の予約依頼は、呼制御サーバが無線ＬＡＮを介して発信を受け付けた場合に１回行なわれるものであり、この予約依頼に基づく通信帯域の予約が失敗した場合、当該通話（通信）を行なえないことになる。
【０００７】
そこで、特許文献１には、ネットワークの使用状況を定期的に検出して画面表示するシステムが開示されている。このシステムを用いることにより、ユーザは、通信を行なう前に、時時刻刻と変化するネットワークの使用状況を把握することができ、例えば通信量が少ない時を見計らってデータを送信することができ、通信の失敗を回避することができる。
【０００８】
また、特許文献２には、複数の端末装置が既に接続されている会議システムに新規ユーザの端末装置が接続しようとした際に通信帯域が不足していた場合、新規ユーザの端末装置が自動的に、会議に参加している他のメンバの端末装置に対して、使用中の通信帯域を削減するように要求し、他のメンバの端末装置は、要求に従って使用中の通信帯域を削減するシステムが開示されている。このシステムでは、既に会議に参加している他のメンバの端末装置によって使用されていた通信帯域を少しずつ開放することにより、会議システムに接続できる端末装置の数を増やすことができる。
【特許文献１】特開２００４−５６４６７号公報
【特許文献２】特許第３１２６６８７号公報
【発明の開示】
【発明が解決しようとする課題】
【０００９】
しかし、特許文献１のシステムは、大量のデータを送信する場合には効果的である場合もあるが、例えばＩＰ電話機を用いて通話を行なう際には、通話をしたい時に通話を始めたいのであって、通話開始のタイミングをずらしてまでネットワークの使用状況を逐次確認することは実用的ではない。また、特許文献２のシステムは、会議システムに接続されている各端末装置が使用する通信帯域を少しずつ削減するので、各端末装置が行なう通信の通信品質が低下する虞があるという問題を有している。
【００１０】
一方、ＩＰ電話システムは、複数のＩＰ電話機をグループ毎に登録しておき、１つのＩＰ電話機に着信があった場合、同じグループ内の他のＩＰ電話機にも着信を通知し、同じグループ内のいずれかのＩＰ電話機によって応答することが可能なグループ着信機能を有している。このグループ着信機能では、呼制御サーバは、発信側のＩＰ電話機からの発信を受け付けた場合、着信がある旨を、着信側のＩＰ電話機だけでなく、着信側のＩＰ電話機と同じグループに属する他のＩＰ電話機にも通知することになる。
【００１１】
従って、着信側のＩＰ電話機１台にのみ着信がある旨を通知する場合では、このＩＰ電話機に対する通信帯域の予約が失敗した場合、このＩＰ電話機に着信がある旨を通知できないため、この着信に対して応答することができなかったが、グループ着信機能では、着信側のＩＰ電話機に対する通信帯域の予約が失敗した場合であっても、同じグループ内の他のＩＰ電話機に対する通信帯域の予約が成功した場合、通信帯域を予約できたＩＰ電話機に対して着信がある旨を通知できるので、このＩＰ電話機によって着信に応答することができる。これにより、着信に対して応答できる機会を増やすことができ、通信帯域が不足することによる通話機会のロス（喪失）を抑制することができるので、通話機会のロスによって発信者に与えていた不快感を低減することができる。
【００１２】
なお、グループ着信機能を用いた場合であっても、呼制御サーバは、（ａ）発信側のＩＰ電話機からの発信を受け付けた場合、又は（ｂ）着信側のＩＰ電話機からの応答を受け付けた場合に、各ＩＰ電話機が通信に必要な帯域の予約依頼を行ない、音質を維持する方法が知られている。しかし、これらの方法には問題がある。具体的には、（ａ）呼制御サーバが発信側のＩＰ電話機からの発信を受け付けたときに通信帯域の予約依頼を行なう場合、呼制御サーバが発信を受け付けた時点で通信帯域に余裕がなければ通信帯域の予約を失敗することになる。従って、呼制御サーバが発信を受け付けてから着信側のＩＰ電話機からの応答を受け付けるまでの間に通信帯域に余裕ができた場合、例えば、通話中のＩＰ電話機のユーザが、他のＩＰ電話機が出力した着信音を聞いて新規着信があることを知り、自身の通話を終了して通信帯域を開放した場合であっても、その通信帯域を利用することはできない。
【００１３】
また、（ｂ）呼制御サーバが着信側のＩＰ電話機からの応答を受け付けたときに通信帯域の予約依頼を行なう場合、呼制御サーバが応答を受け付けた時点で通話帯域の空き容量を判定して予約の成否を決定するため、（ａ）とは違い、呼出中に開放された通信帯域を利用できる利点がある。しかし、呼出前に通信帯域を予約していないため、着信に対して応答してきたＩＰ電話機と発信側のＩＰ電話機との呼接続を行なう時点で通信帯域が不足し、通信帯域の予約に失敗する事態も起こりうる。この場合、応答者は応答したにも拘わらず通話を開始できず、発信者は呼出音が鳴っていたにも拘わらず通話開始直前で通信が切断されてしまい、応答者及び発信者に不快感を与える虞がある。
【００１４】
従って、従来までの（ａ），（ｂ）の方法では、応答者及び発信者に不快感を与える虞無しに、グループ着信の端末を呼出中に開放された通信帯域を利用することが出来ないという問題があった。
【００１５】
本発明は斯かる事情に鑑みてなされたものであり、その目的とするところは、グループ着信機能によって複数の端末装置に対して呼出処理を行なう場合に、呼出処理の実行中においても、応答者及び発信者に不快感を与える虞無く、時時刻刻と変化する通信帯域の使用状況に応じて呼出対象を増やすことができ、着信に対して応答することができる端末装置の数を増やすことによって通話機会のロスを抑制することが可能な呼制御装置、コンピュータプログラム、呼制御方法及び呼制御システムを提供することにある。
【００１６】
本発明の他の目的は、通信帯域の予約を効率よく行なうことにより、呼出対象を効率よく増やすことが可能な呼制御装置、コンピュータプログラム、呼制御方法及び呼制御システムを提供することにある。
【００１７】
本発明の他の目的は、通信帯域の予約が成功する可能性の高いタイミングで通信帯域の予約依頼を行なうことにより、通信帯域の予約を効率よく行ない、時時刻刻と変化する通信帯域の使用状況に応じて効率よく呼出対象を増やすことが可能な呼制御装置及びコンピュータプログラムを提供することにある。
【課題を解決するための手段】
【００１８】
本発明に係る呼制御装置は、複数の中継装置のそれぞれを介して端末装置と通信を行なうと共に、複数の端末装置間の呼接続を制御する呼制御装置において、複数の端末装置の装置情報をグループ毎にグループ記憶手段に記憶しており、一の端末装置に対する呼接続の要求を受け付けた場合、呼接続を要求された端末装置が属するグループ内の端末装置の装置情報をグループ記憶手段から取得し、取得した装置情報の端末装置との通信に要する通信帯域の予約を、該端末装置との通信を行なう際に用いる中継装置に依頼する。呼制御装置は、通信帯域の予約が成功した端末装置に対して呼出処理を行ない、呼出処理に対して一の端末装置からの応答を受け付けた場合、応答をした端末装置及び呼接続の要求をした端末装置間の呼接続を確立する。呼制御装置は、呼出処理に対する応答を受け付けるまでの間、予約が失敗した通信帯域の予約を再度依頼することにより、１回の予約依頼によって通信帯域を予約できなかった端末装置に対して、通信帯域の予約依頼を繰り返し、通信帯域を予約できた時点で呼出処理の対象に追加する。よって、呼制御装置が呼接続の要求を受け付けた時点では通信帯域の不足によって呼出対象とならなかった端末装置においても、再度行なった予約依頼によって通信帯域を予約できれば、呼出対象とすることが可能となる。また、本発明に係る呼制御装置は、各中継装置の位置関係を把握している。呼制御装置は、通信帯域の予約が成功した端末装置がない中継装置がある場合、この中継装置の近傍の中継装置を特定し、この近傍の中継装置を介して通信が可能な端末装置との通信に要する通信帯域の予約依頼を行ない、予約が成功した端末装置を呼出対象とする。よって、通信帯域が不足し、呼出対象とすべき端末装置を呼び出せない場合、近傍の中継装置を介して通信可能な端末装置を呼出対象とすることにより、呼出対象を増やすことが可能となる。
【００１９】
本発明に係る呼制御装置は、グループ記憶手段から取得した装置情報の端末装置のそれぞれとの通信に要する通信帯域のうちの大きい通信帯域の予約を依頼し、この予約が失敗した場合、前記端末装置のそれぞれとの通信に要する通信帯域のうちの前記大きい通信帯域よりも小さい通信帯域のいずれかを選択し、選択された通信帯域の予約を再度依頼する。呼制御装置は、予約が成功した通信帯域以下の通信帯域は予約が成功したとみなし、この通信帯域以下の通信帯域を要する端末装置を呼出処理の対象とすることができるので、より大きい通信帯域での予約が成功した場合、より多くの端末装置に対する呼出処理を行なうことができ、１回の予約依頼に基づく通信帯域の予約を効率よく行なうことが可能となる。
【００２０】
本発明に係る呼制御装置は、端末装置毎に、各端末装置との通信に要する通信帯域の予約が成功したか否かを示す予約情報を予約情報記憶手段に記憶しており、通信帯域の予約が成功した場合、予約が成功した通信帯域以下の通信帯域を要する端末装置の予約情報に、予約が成功したことを示す情報を記憶させ、通信帯域の予約が失敗した場合、予約が失敗した通信帯域以上の通信帯域を要する端末装置の予約情報に、予約が失敗したことを示す情報を記憶させる。また、呼制御装置は、予約が成功したことを示す予約情報が予約情報記憶手段に記憶してある端末装置に対して呼出処理を行ない、予約が失敗したことを示す予約情報が予約情報記憶手段に記憶してある端末装置に対する通信帯域の予約を再度依頼する。よって、予約情報記憶手段の記憶内容に基づいて、各端末装置に対して、通信帯域の予約を成功したか否かを容易に把握することが可能となる。
【００２１】
本発明に係る呼制御装置は、通信帯域の使用状況の変化を受け付ける手段及び所定時間を計時する手段の少なくとも一方を備え、通信帯域の使用状況の変化を受け付けた場合、又は所定時間の計時を終了した場合、予約を失敗していた通信帯域の予約を再度依頼する。よって、予約を失敗していた通信帯域の予約が成功する可能性の高いタイミングで通信帯域の予約依頼を再度行なうことにより、効率よく通信帯域の予約を行なうことが可能となる。
【００２２】
本発明に係る呼制御装置は、通信帯域の予約が成功した端末装置の数が所定数以下である場合、通信帯域の予約が成功した端末装置に対する呼出処理を行なわない。よって、呼出処理の対象となる端末装置が少なく、着信に対して応答できる可能性が低い場合には、呼出処理を行なわず、この着信に対する呼接続を行なわない。
【００２３】
本発明に係る呼制御装置は、通信帯域の予約が失敗した端末装置の数が所定数以上である場合、既に呼接続が確立されている端末装置に対して、通信帯域が不足している旨を通知する。よって、通信帯域が不足しているエリア内で通話中の各ユーザに、通信（呼接続）の終了を促すことが可能となる。
【００２４】
本発明に係る呼制御装置は、既に呼接続が確立されている端末装置に対して送信する情報に、通信帯域が不足している旨を示す情報を重畳させることにより、通話中の各ユーザに、通信帯域が不足している旨を確実に通知することが可能となる。
【００２５】
本発明に係る呼制御装置は、複数の中継装置のそれぞれを介して端末装置と通信を行なうと共に、各中継装置の位置関係を把握している。呼制御装置は、通信帯域の予約が失敗した端末装置と通信を行なう際に用いる中継装置を検出し、検出した中継装置の近傍の中継装置を特定し、この近傍の中継装置を介して通信が可能な端末装置との通信に要する通信帯域の予約依頼を行ない、予約が成功した端末装置を呼出対象とする。よって、通信帯域が不足し、呼出対象とすべき端末装置を呼び出せない場合、近傍の中継装置を介して通信可能な端末装置を呼出対象とすることにより、呼出対象を増やすことが可能となる。
【００２６】
本発明に係る呼制御装置は、グループ毎に着信音を登録しておき、呼接続を要求された端末装置が属するグループ毎に異なる着信音での呼出処理を行なうことにより、着信音によってどのグループに対する着信であるかを容易に把握することが可能となる。
【００２７】
本発明に係るコンピュータプログラムは、コンピュータに読み取らせて実行させることにより、上述したような呼制御装置の動作をコンピュータによって実現することが可能となる。
【００２８】
本発明に係る呼制御システムでは、複数の端末装置間の呼接続を制御する呼制御装置は、グループ着信を行なう場合、グループに属する各端末装置との通信に要する通信帯域の予約を依頼し、予約できた端末装置に対して呼出処理を行なう。端末装置は、呼制御装置による呼出処理に対して応答を行ない、呼制御装置は、呼出処理に対して応答した端末装置及び呼接続の要求をした端末装置間の呼接続を確立する。呼制御装置は、予約が失敗した通信帯域の予約依頼を、呼出処理に対する応答を受け付けるまで繰り返すことにより、１回の予約依頼によって通信帯域を予約できなかった端末装置も、通信帯域を予約できた時点で呼出処理の対象に追加する。よって、呼制御装置が呼接続の要求を受け付けた時点では呼出対象とならなかった端末装置を、再度行なった予約依頼によって通信帯域を予約できれば、呼出対象とすることが可能となる。
【００２９】
本発明に係る呼制御装置は、グループに属する端末装置のそれぞれとの通信に要する通信帯域の予約を通信帯域が大きい順に依頼し、予約が成功した通信帯域以下の通信帯域を要する端末装置を呼出処理の対象とする。よって、１回の予約依頼によって、より多くの端末装置に対する通信帯域の予約を行なうことが可能となる。
【発明の効果】
【００３０】
本発明では、呼制御装置は、一の端末装置に対する呼接続を要求され、この端末装置と同一のグループに属する端末装置に対して呼出処理を行なうグループ着信を行なう場合、グループに属する各端末装置との通信に必要な帯域の予約を依頼し、予約できた端末装置に対して呼出処理を行なう。また、呼制御装置は、呼出処理に対する応答を受け付けるまでの間、予約が失敗した通信帯域の予約を再度依頼し、通信帯域を予約できた時点で呼出処理の対象とする。よって、呼接続を要求された時点では呼出対象とならなかった端末装置も、通信帯域を予約できた時点で呼出対象とすることができる。また、複数の中継装置のそれぞれを介して端末装置と通信を行なっており、通信帯域を予約できた端末装置がない中継装置があった場合、この中継装置の近傍の中継装置を介して通信が可能な端末装置を呼出対象の候補とすることにより、呼出対象を増やすことができ、着信に対して応答できる可能性を高めることができる。
【００３１】
従って、呼接続を要求された時点では呼出対象とならなかった端末装置に対する通信帯域の予約依頼を、呼出処理の実行中にも行なうことにより、呼出処理の実行中においても、時時刻刻と変化する通信帯域の使用状況に応じて呼出対象を増やすことができ、着信に対して応答することができる端末装置の数を増やすことができる。よって、着信に対して応答できる可能性を高めることができ、通話機会のロスを抑制することができる。なお、呼制御装置は、呼出処理に対して応答してきた端末装置と、呼接続を要求してきた端末装置との呼接続を確立することにより、２つの端末装置間での通信が開始される。
【００３２】
本発明では、呼制御装置は、グループに属する各端末装置が通信に要する帯域の予約を帯域が大きい順に依頼する。予約が成功した通信帯域以下の通信帯域は予約が成功したとみなすことができ、呼制御装置は、予約が成功したとみなされる端末装置に対して呼出処理を行なうので、１回の予約依頼によって呼出処理の対象となる端末装置の数を効率よく増やすことができる。また、呼制御装置が呼出処理を行なう端末装置の数を増やすことができるので、着信に対して応答することができる端末装置の数を増やすことができ、着信に対して応答できる可能性を高めることができ、通話機会のロスを抑制することができる。
【００３３】
本発明では、端末装置毎に、各端末装置との通信に要する通信帯域の予約が成功したか否かを示す予約情報を記憶する予約情報記憶手段の内容を、通信帯域の予約が成功又は失敗する都度、更新する。よって、通信帯域の予約依頼を繰り返し行なう場合であっても、予約情報記憶手段の記憶内容に基づいて、各端末装置において通信帯域の予約が成功したか否かを容易に把握することができ、通信帯域の予約が成功したか否かに応じて呼出処理又は予約依頼処理を精度よく行なうことができる。
【００３４】
本発明では、通信帯域の使用状況が変化した場合、又は所定時間が経過した場合のように、予約できていない通信帯域の予約が成功する可能性の高いタイミングで通信帯域の予約依頼を再度行なうことにより、通信帯域の予約を効率よく行なうことができ、時時刻刻と変化する通信帯域の使用状況に応じて効率よく呼出対象を増やすことができる。
【００３５】
本発明では、通信帯域の予約が成功した端末装置の数が所定数以下である場合、呼出処理の対象となる端末装置が少なく、着信に対して応答できる可能性が低いので、通信帯域の予約が成功した端末装置に対しても呼出処理を行なわず、この着信に対する呼接続を行なわないことにより、この呼接続に必要であった通信帯域を他の呼接続に開放することができる。従って、例えば、他の着信に対する呼出処理において、このように開放された通信帯域を利用して呼出対象を増やすことができた場合、この他の着信に対して応答できる可能性を高めることができ、システム全体としての通話機会のロスを抑制することができる。
【００３６】
本発明では、通信帯域の予約が失敗した端末装置の数が所定数以上である場合、既に呼接続が確立されている端末装置に対して、通信帯域が不足している旨を通知することにより、通信帯域が不足しているエリア内で通話中の各ユーザに、通信（呼接続）の終了を促すことができる。よって、より多くの端末装置において通信が終了された場合、より多くの通信帯域が開放されることになるので、この開放された通信帯域を利用して呼出対象を増やすことができ、着信に対して応答できる可能性を高めることができる。
【００３７】
本発明では、既に呼接続が確立されている端末装置に対して送信する情報に、通信帯域が不足している旨を示す情報を重畳させることにより、通話中の各ユーザに、通信帯域が不足している旨を確実に通知することができ、通話中の各ユーザに通信（呼接続）の終了を確実に促すことができる。
【００３８】
本発明では、複数の中継装置のそれぞれを介して端末装置と通信を行なっており、通信帯域を予約できなかった場合、予約できなかった端末装置と通信を行なう際に用いる中継装置の近傍の中継装置を介して通信が可能な端末装置を呼出対象の候補とすることにより、呼出対象を増やすことができ、着信に対して応答できる可能性を高めることができる。
【００３９】
本発明では、呼接続を要求された端末装置が属するグループ毎に異なる着信音での呼出処理を行なうことにより、着信音によってどのグループに対する着信であるかを容易に把握することができる。従って、例えば、通信帯域が不足している中継装置の近傍の中継装置のエリア内に、呼接続を要求された端末装置（着信側の端末装置）と同一のグループに属する端末装置が存在しない場合であっても、前記近傍の中継装置のエリア内の端末装置のユーザは、着信音によって、自身の近傍のグループに対する着信であることを把握することができる。
【発明を実施するための最良の形態】
【００４０】
（実施形態１）
以下に、本発明に係る呼制御装置を備えた本発明に係る呼制御システムを、その実施形態１を示す図面に基づいて詳述する。図１は実施形態１に係る呼制御システムの構成例を示す模式図である。本実施形態１の呼制御システム１００は、例えばＶｏＷＬＡＮ等のネットワーク（ＩＰネットワーク）Ｌ、ネットワークＬに接続された呼制御装置３、ネットワークＬに接続された複数の無線アクセスポイント（以下、無線ＡＰという）２，２…、ネットワークＬ及び無線ＡＰ２，２…を介して他の端末装置１との間で通信を行なう端末装置１，１…等により構成される。
【００４１】
なお、本実施形態１では、ネットワークＬを介した通信のみを行なう端末装置１を用いる構成について説明するが、ネットワークＬを介した通信だけでなく、例えばＦＯＭＡ網のような公衆電話回線網を介した通信も行なえるように構成された端末装置（ＦＭＣ（Fixed Mobile Convergence）端末）を用いることもできる。
【００４２】
端末装置１は、ネットワークＬを介した無線通信が可能に構成されており、最寄りの無線ＡＰ２との間で無線通信を行なう。端末装置１が無線ＡＰ２及びネットワークＬを介して他の端末装置１に発呼（発信）した場合、呼制御装置３は、発信側の端末装置１から通話要求を示すパケットを受信し、受信したパケットに基づいて、発信側（掛け手側）の端末装置１の電話番号と、受信側（受け手側）の端末装置１の電話番号とを取得する。そして、呼制御装置３は、受信側の端末装置１へ、発信側の端末装置１からの着信があることを通知するパケットを送信する。
【００４３】
受信側の端末装置１は、発信側の端末装置１からの着信があることを通知するパケットを呼制御装置３から受信した場合、着信音を鳴動させると共に、発信側の端末装置１の電話番号及び発信側の端末装置１からの着信があることを通知するメッセージを表示部１７（図２参照）に表示させる。これにより、受信側の端末装置１は、自身の所有者に着信があることを通知することができる。受信側の端末装置１の所有者は、着信が通知された場合、操作部１６（図２参照）を操作することにより応答する。呼制御装置３は、受信側の端末装置１からの応答があった場合、発信側の端末装置１と受信側の端末装置１との呼接続を確立する。これにより、発信側の端末装置１と受信側の端末装置１との間で、それぞれ最寄りの無線ＡＰ２，２及びネットワークＬを介した通信を開始することができる。
【００４４】
本実施形態１の呼制御システム１００は、複数の端末装置１，１…をグループ毎に予め登録しておき、１つの端末装置１（代表番号）に着信があった場合、同じグループ内の他の端末装置１によって応答することが可能なグループ着信機能を備えている。なお、グループ着信機能の詳細については後述する。
【００４５】
なお、図示していないが、ネットワークＬは、インターネットに接続されており、インターネットを介して、インターネットに接続された他のネットワークにも接続されている。従って、端末装置１は、インターネットを介して、他のネットワークを介した無線通信を行なう端末装置１との間でも通信を行なうことができる。この場合も、呼制御装置３は、ネットワークＬ及びインターネットを介して発呼してきた端末装置１から受信したパケットに基づいて、発信側の端末装置１の電話番号と、受信側の端末装置１の電話番号とを取得し、受信側の端末装置１へ、発信側の端末装置１からの着信があることを通知するパケットを送信する。
【００４６】
また、端末装置１，１…は、自身を中心とした所定範囲内に存在する最寄りの無線ＡＰ２との間で無線通信が可能であり、所定範囲内に無線ＡＰ２が存在しない場合、ネットワークＬの圏外となってネットワークＬを介した通信を行なえない。
【００４７】
図２は実施形態１に係る端末装置１及び無線ＡＰ２の構成例を示すブロック図である。本実施形態１の端末装置１は、制御部１０、ＲＯＭ１１、ＲＡＭ１２、メモリ部１３、無線通信部１４、音声回路部１５、操作部１６、表示部１７等を備えており、これらのハードウェア各部はバス１ａを介して相互に接続されている。
【００４８】
制御部１０は、ＣＰＵ（Central Processing Unit ）又はＭＰＵ（Micro Processor Unit）等で構成され、所定のタイミングに従って、ＲＯＭ１１又はメモリ部１３に予め記憶してある制御プログラムを適宜ＲＡＭ１２に読み出して実行すると共に、上述したハードウェア各部の動作を制御する。ＲＯＭ１１には、端末装置１を本発明の呼制御システム１００に利用できる端末装置として動作させるために必要な種々の制御プログラムが予め格納されている。ＲＡＭ１２はＳＲＡＭ又はフラッシュメモリ等で構成されており、制御部１０による制御プログラムの実行時に発生する種々のデータを一時的に記憶する。
【００４９】
メモリ部１３はフラッシュメモリのような不揮発性のメモリである。メモリ部１３には、端末装置１を本発明の呼制御システム１００に利用できる端末装置として動作させるために必要な種々の制御プログラム、着信音データ（着信メロディ）等が予め格納されている。また、メモリ部１３には、自身の端末装置１に関する情報として、端末装置１の電話番号、端末装置１の所有者の氏名等も格納されている。
【００５０】
無線通信部１４は、ネットワークＬを介した無線通信のために電波の送受信を行なうアンテナ１４ａに接続されており、制御部１０からの指示に従ってアンテナ１４ａを介して、最寄りの無線ＡＰ２との接続を確立する。なお、端末装置１を中心とした所定範囲内に無線ＡＰ２が存在しない場合、端末装置１はネットワークＬを介した通信を行なうことができない。
【００５１】
操作部１６は、所有者（ユーザ）が端末装置１を操作するために必要な各種の操作キーを備えている。ユーザにより各操作キーが操作された場合、操作部１６は操作された操作キーに対応した制御信号を制御部１０へ送出し、制御部１０は取得した制御信号に対応した処理を実行する。
【００５２】
表示部１７は、例えば液晶ディスプレイ（ＬＣＤ）で構成され、制御部１０からの指示に従って、端末装置１の動作状況、操作部１６を介して入力された情報、所有者（ユーザ）に対して通知すべき情報等を表示する。
【００５３】
音声回路部１５には、マイク１５ａ及びスピーカ１５ｂが接続されている。マイク１５ａは、端末装置１が電話機として使用される際にユーザ（所有者）が発話した音声を集音して音声回路部１５へ伝送する。スピーカ１５ｂは、端末装置１が電話機として使用される際に着信音及び発信者（通話先）からの通話音を出力する。
【００５４】
音声回路部１５は、Ａ／Ｄ変換器（図示せず）を有する。音声回路部１５は、マイク１５ａが集音して得られたアナログの音声信号に対してＡ／Ｄ変換処理を行なってデジタルの音声信号を生成し、得られたデジタルの音声信号を無線通信部１４へ送出する。なお、無線通信部１４は、音声回路部１５から送出されたデジタルの音声信号を音声パケットに変換し、得られた音声パケットをアンテナ１４ａを介して通話相手の端末装置１へ送信する。
【００５５】
また、音声回路部１５は、制御部１０からの指示に従って、メモリ部１３から読み出された着信音データに基づく着信音をスピーカ１５ｂに出力させる。また、音声回路部１５は、Ｄ／Ａ変換器（図示せず）を有し、制御部１０からの指示に従って、無線通信部１４によって通話相手の端末装置１から受信したデジタルの音声信号に対してＤ／Ａ変換処理を行なってアナログの音声信号を生成し、得られた音声信号に基づく通話音をスピーカ１５ｂに出力させる。
【００５６】
なお、無線通信部１４は、ネットワークＬから受信した音声パケットをデジタルの音声信号に変換し、得られたデジタルの音声信号を音声回路部１５へ送出する。
【００５７】
上述した構成により、端末装置１は、ネットワークＬを介して通話相手の端末装置１との間で通信を行なうことができる。なお、端末装置１は、音声パケットだけでなく、映像信号を変換して生成した映像パケット、データ信号を変換して生成したデータパケット等の送受信も行なうことができる。
【００５８】
本実施形態１の無線ＡＰ２は、制御部２０、ＲＯＭ２１、ＲＡＭ２２、メモリ部２３、無線通信部２４、通信部２５等を備えており、これらのハードウェア各部はバス２ａを介して相互に接続されている。
【００５９】
制御部２０は、ＣＰＵ又はＭＰＵ等で構成され、所定のタイミングに従って、ＲＯＭ２１又はメモリ部２３に予め記憶してある制御プログラムを適宜ＲＡＭ２２に読み出して実行すると共に、上述したハードウェア各部の動作を制御する。ＲＯＭ２１には、無線ＡＰ２として動作させるために必要な種々の制御プログラムが予め格納されている。ＲＡＭ２２はＳＲＡＭ又はフラッシュメモリ等で構成されており、制御部２０による制御プログラムの実行時に発生する種々のデータを一時的に記憶する。
【００６０】
メモリ部２３はフラッシュメモリのような不揮発性のメモリである。メモリ部２３には、無線ＡＰ２として動作させるために必要な種々の制御プログラム、図３（ａ）に示すような端末管理テーブル２３ａ、図３（ｂ）に示すような帯域管理テーブル２３ｂ等が予め格納されている。また、メモリ部２３には、自身の無線ＡＰ２に関する情報として、無線ＡＰ２に割り当てられたＩＰアドレス等も格納されている。
【００６１】
無線通信部２４は、端末装置１，１…との無線通信のために電波の送受信を行なうアンテナ２４ａに接続されており、制御部２０からの指示に従ってアンテナ２４ａを介して、無線ＡＰ２を中心とした所定範囲内の端末装置１，１…との接続を確立する。通信部２５は、ネットワークＬを介した通信を行なうための接続部であり、制御部２０からの指示に従ってネットワークＬを介してデータの送受信を行なう。
【００６２】
図３は無線ＡＰ２のメモリ部２３に記憶されている各テーブルの登録内容を示す模式図である。なお、図３（ａ）には端末管理テーブル２３ａを、図３（ｂ）には帯域管理テーブル２３ｂをそれぞれ示している。
【００６３】
図３（ａ）に示すように、端末管理テーブル２３ａには、無線ＡＰ２を中心とした所定範囲内、具体的には無線ＡＰ２との無線通信が可能なエリア内に存在する端末装置１，１…に割り当てられたＩＰアドレスが登録されている。
【００６４】
端末管理テーブル２３ａの登録内容は、各端末装置１，１…が無線ＡＰ２との無線通信が可能なエリア内に入り、無線ＡＰ２との通信が開始される都度、制御部２０によって登録される。また、制御部２０は、各端末装置１，１…が無線ＡＰ２との無線通信が可能なエリア外へ出たことによって、各端末装置１，１…との通信が所定時間以上途絶えた場合に、この端末装置１，１…のＩＰアドレスを端末管理テーブル２３ａから消去する。
【００６５】
図３（ｂ）に示すように、帯域管理テーブル２３ｂには、各通信帯域を予約したグループ（管理ＩＤ）又は端末１，１…のＩＤ、若しくは予約が確定した端末装置１，１…のＩＰアドレスに対応付けて、無線ＡＰ２と通信する際に必要な通信帯域の大きさと、予約状況とが登録されている。なお、通信帯域の大きさの欄には、各端末装置１，１…が通信する際に必要な通信帯域の大きさが個別に登録され、予約状況の欄には、各端末装置１，１…が通信に要する帯域が予約された場合には「予約」が、予約された通信帯域を利用した通信が開始された場合には「確定」がそれぞれ登録される。帯域管理テーブル２３ｂの登録内容は、呼制御装置３からの指示に従って制御部２０が各端末装置１，１…における通信帯域の予約及び確定を行なう都度、制御部２０によって登録される。
【００６６】
図４は実施形態１に係る呼制御装置３の構成例を示すブロック図である。本実施形態１の呼制御装置３は、制御部３０、ＲＯＭ３１、ＲＡＭ３２、メモリ部３３、ネットワークＬを介した通信を行なうための通信部３４等を備えており、これらのハードウェア各部はバス３ａを介して相互に接続されている。
【００６７】
制御部３０は、ＣＰＵ又はＭＰＵ等で構成され、所定のタイミングに従って、ＲＯＭ３１又はメモリ部３３に予め記憶してある制御プログラムを適宜ＲＡＭ３２に読み出して実行すると共に、上述したハードウェア各部の動作を制御する。ＲＯＭ３１には、呼制御サーバ３を本発明の呼制御装置として動作させるために必要な種々の制御プログラムが予め格納されている。ＲＡＭ３２はＳＲＡＭ又はフラッシュメモリ等で構成されており、制御部３０による制御プログラムの実行時に発生する種々のデータを一時的に記憶する。
【００６８】
メモリ部３３はフラッシュメモリのような不揮発性のメモリである。メモリ部３３には、呼制御装置３を本発明の呼制御装置として動作させるために必要な種々の制御プログラム、図５（ａ）に示すようなグループテーブル３３ａ、図５（ｂ）に示すような電番・ＩＰ対応テーブル３３ｂ、図５（ｃ）に示すような端末・ＡＰ紐付けテーブル３３ｃ、図５（ｄ）に示すような呼出端末管理テーブル３３ｄ等が予め格納されている。
【００６９】
図５は呼制御装置３のメモリ部３３に記憶されている各テーブルの登録内容を示す模式図である。なお、図５（ａ）にはグループテーブル３３ａを、図５（ｂ）には電番・ＩＰ対応テーブル３３ｂを、図５（ｃ）には端末・ＡＰ紐付けテーブル３３ｃを、図５（ｄ）には呼出端末管理テーブル３３ｄをそれぞれ示している。
【００７０】
図５（ａ）に示すように、グループテーブル（グループ記憶手段）３３ａには、各グループ毎に、グループＩＤ（代表番号）と、各グループに含まれる端末装置１，１…に割り当てられた電話番号（装置情報）とが登録されている。なお、図５（ａ）では端末装置１，１…の電話番号が登録されている例を示しているが、電話番号に限られず、端末装置１，１…を識別できる情報であればよい。グループテーブル３３ａの登録内容は、呼制御システム１００の管理者又はユーザが、呼制御装置３の操作部（図示せず）又はネットワークＬに接続されたコンピュータ（図示せず）等を介して各グループの情報を追加又は修正する都度、制御部３０によって追加又は修正される。
【００７１】
図５（ｂ）に示すように、電番・ＩＰ対応テーブル３３ｂには、呼制御システム１００の利用が可能な端末装置１，１…毎に、端末装置１，１…に割り当てられた電話番号と、端末装置１，１…に割り当てられたＩＰアドレスとが対応付けて登録されている。なお、図５（ｂ）では端末装置１，１…の電話番号が登録されている例を示しているが、電話番号に限られず、端末装置１，１…を識別できる情報であればよい。電番・ＩＰ対応テーブル３３ｂの登録内容は、各無線ＡＰ２，２…から各端末装置１，１…の情報を受信する都度、ＩＰアドレスが更新され、呼制御システム１００の管理者が、呼制御装置３の操作部（図示せず）又はネットワークＬに接続されたコンピュータ（図示せず）等を介して、呼制御システム１００の利用が可能な端末装置１，１…の情報を追加又は修正する都度、制御部３０によって電話番号が追加又は削除される。
【００７２】
図５（ｃ）に示すように、端末・ＡＰ紐付けテーブル３３ｃには、呼制御システム１００の利用が可能な端末装置１，１…のＩＰアドレスに対応付けて、各端末装置１，１…の最寄りの無線ＡＰ２のＩＰアドレスが登録されている。端末・ＡＰ紐付けテーブル３３ｃの登録内容は、各無線ＡＰ２，２…から、各無線ＡＰ２，２…と無線通信が可能なエリア内の各端末装置１，１…の情報を受信する都度、制御部３０によって追加又は修正される。
【００７３】
図５（ｄ）に示すように、呼出端末管理テーブル（予約情報記憶手段）３３ｄには、１つの端末装置１（代表番号）に対する着信があった場合に、この代表番号と同じグループに属する各端末装置１，１…毎に、端末装置１，１…が属するグループのグループＩＤ（代表番号）と、端末装置１，１…のＩＰアドレスと、端末装置１，１…の最寄りの無線ＡＰ２，２…のＩＰアドレスと、端末装置１，１…が通信に要する帯域の予約状況を示す予約情報とが対応付けて登録されている。なお、予約情報の欄には、各端末装置１，１…が通信に要する帯域を予約できた場合には「ＯＫ」が、予約できなかった場合には「帯域不足」が、各端末装置１，１…が通話中の場合には「通話中」がそれぞれ登録される。呼出端末管理テーブル３３ｄの登録内容は、端末装置１，１…から通話の要求を受け付ける都度、又は、無線ＡＰ２，２…が行なう通信帯域の予約処理の結果を無線ＡＰ２，２…から受信する都度、制御部３０によって登録される。
【００７４】
以下に、上述した構成の呼制御システム１００において、呼制御装置３の制御部３０がＲＯＭ３１又はメモリ部３３に格納されている制御プログラムを実行することによって実現される機能、及び無線ＡＰ２の制御部２０がＲＯＭ２１又はメモリ部２３に格納されている制御プログラムを実行することによって実現される機能について説明する。図６は実施形態１に係る呼制御装置３及び無線ＡＰ２の機能構成を示すブロック図である。
【００７５】
本実施形態１の呼制御装置３において、制御部３０は、ＲＯＭ３１又はメモリ部３３に格納されている制御プログラムを実行することによって、呼制御部４０、グループ処理部４１、電番ＩＰ交換部４２、呼出管理部４３、帯域予約指示部５０、端末・ＡＰ紐付け部５１等の各機能を実現する。また、呼出管理部４３は、開始制御部４４、応答制御部４５、終了制御部４６、中断制御部４７、リトライ部４８、予約結果登録部４９等を含む。
【００７６】
また、本実施形態１の無線ＡＰ２において、制御部２０は、ＲＯＭ２１又はメモリ部２３に格納されている制御プログラムを実行することによって、パケット転送部２７、帯域管理部２８、端末管理部２９等の各機能を実現する。
【００７７】
呼制御装置３の呼制御部４０は、発信側の端末装置１が発呼した場合、ネットワークＬ及び無線ＡＰ２を介して発信側の端末装置１から通話要求（呼接続の要求）を示すパケットを受信し、着信に対して応答があった場合、無線ＡＰ２を介して応答要求を示すパケットを受信し、呼出中の通話が発信側のユーザからキャンセルされた場合、発信側の端末装置１から発呼キャンセルを示すパケットを受信し、通話が終了された場合、無線ＡＰ２を介して通話切断を示すパケットを受信する。
【００７８】
呼制御部４０は、発信側の端末装置１から通話要求を受信した場合、受信したパケットに基づいて、発信側の端末装置１の電話番号と、受信側の端末装置１の電話番号とを取得する。また、呼制御部４０は、グループ処理部４１、電番ＩＰ交換部４２、呼出管理部４３等を適切に制御することにより、受け付けた通話要求に対応して、受信側（着信側）の端末装置１が応答するための通信帯域の予約を指示する予約指示処理、受信側の端末装置１を呼び出す呼出処理、呼出処理に対して１つの端末装置１が応答した場合の応答処理、発信側の端末装置１及び応答してきた端末装置１間の呼接続の確立処理等の各処理を実行する。
【００７９】
グループ処理部４１は、呼制御部４０が取得した受信側の端末装置１の電話番号（識別情報）がグループ処理の対象であるか否かを、グループテーブル３３ａのグループＩＤの欄に受信側の端末装置１の電話番号が存在するか否かで判定し、グループに属する端末装置１，１…の電話番号（装置情報）をグループテーブル３３ａから取得する。
【００８０】
電番ＩＰ交換部４２は、呼制御部４０を介して、グループＩＤ及びこのグループＩＤのグループに属する端末装置１，１…の電話番号を取得する。電番ＩＰ交換部４２は、電番・ＩＰ対応テーブル３３ｂの登録内容に基づいて、グループ処理部４１が取得した端末装置１，１…の電話番号を、それぞれ対応するＩＰアドレスに変換する。
【００８１】
呼出管理部４３は、呼制御部４０を介して、グループＩＤ及び電番ＩＰ交換部４２が変換した各端末装置１，１…のＩＰアドレスを取得する。呼出管理部４３は、まず開始制御部４４によって、取得したグループＩＤ及び各端末装置１，１…のＩＰアドレスを呼出端末管理テーブル３３ｄに登録する。なおこの時点では、呼出端末管理テーブル３３ｄの無線ＡＰのＩＰアドレス及び予約情報の欄には何も登録されない。
【００８２】
開始制御部４４は、呼出端末管理テーブル３３ｄに登録されたグループ毎に、帯域予約指示部５０に、各端末装置１，１…に対する通信帯域の予約処理の実行を指示する。帯域予約指示部５０には端末・ＡＰ紐付け部５１が接続されている。端末・ＡＰ紐付け部５１は、呼出端末管理テーブル３３ｄに登録された各グループの端末装置１，１…のＩＰアドレスを、端末・ＡＰ紐付けテーブル３３ｃの端末装置のＩＰアドレスの欄から検索し、各端末装置１，１…に対応する無線ＡＰ２，２…のＩＰアドレスを取得する。
【００８３】
帯域予約指示部（予約依頼手段）５０は、端末・ＡＰ紐付け部５１が取得した各端末装置１，１…に対応する無線ＡＰ２，２…、具体的には、各端末装置１，１…の最寄りの無線ＡＰ２，２…のＩＰアドレスに基づいて、無線ＡＰ２，２…毎に、各無線ＡＰ２，２…の帯域管理部２８に対して、各端末装置１，１…が通信を行なうために必要な通信帯域の予約処理の実行を指示（依頼）する。
【００８４】
無線ＡＰ２，２…の帯域管理部２８は、帯域予約指示部５０から通信帯域の予約処理の実行を指示された場合、帯域予約指示部５０から取得した各端末装置１，１…のＩＰアドレスに基づいて、各端末装置１，１…との間で所定のパケットの送受信を行ない、各端末装置１，１…と通信するために必要な通信帯域を検出する。また、帯域管理部２８は、端末装置１，１…毎に、各端末装置１，１…に対応して検出した通信帯域の予約処理を行なう。
【００８５】
具体的には、帯域管理部２８は、１つのグループ着信に含まれる各端末装置１，１…に対して検出した通信帯域のうちで最大の通信帯域を特定し、特定した最大の通信帯域を確保できるか否かを判断する。そして、帯域管理部２８は、確保できると判断した場合、通信帯域の予約が成功したとして、全ての端末装置１，１…のＩＰアドレスのそれぞれと、それぞれの端末装置１，１…が通信に要する通信帯域とに対応付けて、予約状況（「予約」）を帯域管理テーブル２３ｂに登録する。
【００８６】
また、帯域管理部２８は、特定した最大の通信帯域を確保できないと判断した場合、このグループ着信に含まれる各端末装置１，１…に対して検出した通信帯域のうちで次に大きい通信帯域を特定し、特定した通信帯域を確保できるか否かを判断する。そして、帯域管理部２８は、確保できると判断した場合、この通信帯域の予約が成功したとして、この通信帯域以下の通信帯域を要する端末装置１，１…のＩＰアドレスのそれぞれと、それぞれの端末装置１，１…が通信に要する通信帯域と、予約状況（「予約」）とを対応付けて帯域管理テーブル２３ｂに登録する。なお、この場合、無線ＡＰ２は、この通信帯域よりも大きい通信帯域の予約は失敗したとして、帯域管理テーブル２３ｂへの登録は行なわない。
【００８７】
なお、予約する通信帯域の大きさを表わすひとつの表現としては、単位時間当たりに占有する「ｋｂｐｓ」を単位とする通信量で表わす方法がある。予約する通信帯域の大きさを求めるひとつの方法は、発信者からの通信開始要求に含まれる通信のコーデック情報から、通信に使う通信帯域を求め、外部の通信環境によってそれを補正する方法である。また、帯域予約の成功と失敗は、特開２００５−８０１５７号公報に記載された方法で定めることができる。この方法は、予約・確定した帯域Ｓが無線ネットワークの利用可能帯域Ｕに対して占める割合Ｓ／Ｕが所定の上限値を超えない範囲で帯域の予約を行なう方法である。
【００８８】
上述したように、各無線ＡＰ２，２…において、１つのグループ着信について、それぞれの端末装置１，１…に対して必要な通信帯域が大きい順に通信帯域の予約を行なうことにより、１回の予約処理によって通信帯域を予約できる端末装置１，１…の数を効率よく増やすことができる。なお、着信に対して応答できるのは１つの端末装置１だけであり、同じ無線ＡＰ２，２…のエリア内において、より大きい通信帯域を予約できた場合、より多くの端末装置１，１…が着信に対して応答できるようになるので、着信に対して応答できる可能性を高めることができる。
【００８９】
帯域管理部２８は、帯域管理テーブル２３ｂに登録された各端末装置１，１…のＩＰアドレスを、通信帯域の予約に成功した端末装置１，１…のＩＰアドレスとし、帯域管理テーブル２３ｂに登録されなかった各端末装置１，１…のＩＰアドレスを、通信帯域の予約に失敗した端末装置１，１…のＩＰアドレスとし、通信帯域の予約処理の結果を帯域予約指示部５０へ通知する。なお、無線ＡＰ２，２…の端末管理部２９は、自身の無線ＡＰ２との無線通信が可能なエリア内に、各端末装置１，１…が侵入し、ＩＰアドレスを取得する等に用いる所定のパケットを送受信し、新たな端末装置１との通信が開始された場合、この端末装置１のＩＰアドレスを端末管理テーブル２３ａに追加し、端末管理テーブル２３ａに登録されている各端末装置１，１…と所定時間以上通信が行なわれない場合、この端末装置１のＩＰアドレスを消去する。
【００９０】
また、帯域管理部２８は、通信帯域の予約処理の対象である端末装置１，１…が現在通話中であるか否かを検出することができ、通信帯域の予約処理の結果を帯域予約指示部５０へ通知する際に、処理対象の端末装置１が通話中である場合、その旨も帯域予約指示部５０へ通知する。帯域予約指示部５０は、各無線ＡＰ２，２…の帯域管理部２８による通信帯域の予約処理の結果及び各端末装置１，１…が通話中である旨を受信した場合、受信した予約結果及び通話中である旨を予約結果登録部４９へ通知する。
【００９１】
開始制御部４４は、帯域予約指示部５０を介して無線ＡＰ２，２…から受信した情報に基づいて、通信帯域の予約が成功した端末装置１が有るか否かを判断し、通信帯域の予約が成功した端末装置１が有る場合、予約結果登録部４９によって、帯域予約指示部５０を介して無線ＡＰ２，２…から受信した情報を、各無線ＡＰ２，２…のＩＰアドレスと共に呼出端末管理テーブル３３ｄの予約情報及び無線ＡＰのＩＰアドレスの欄にそれぞれ登録する。具体的には、予約結果登録部４９は、通信帯域の予約が成功した端末装置１，１…に対応する予約情報の欄に「ＯＫ」を登録し、通信帯域の予約が失敗した端末装置１，１…に対応する予約情報の欄に「帯域不足」を登録する。また、予約結果登録部４９は、通話中の端末装置１，１…に対応する予約情報の欄には「通話中」を登録する。
【００９２】
予約結果登録部４９によって呼出端末管理テーブル３３ｄの予約情報が登録された場合、開始制御部４４は、呼出端末管理テーブル３３ｄの予約情報の欄にＯＫが登録された端末装置１，１…のＩＰアドレス及びこの端末装置１，１…の最寄りの無線ＡＰ２，２…のＩＰアドレスを呼制御部４０へ通知する。呼制御部（呼出手段）４０は、通知された無線ＡＰ２，２…を介して各端末装置１，１…に対する呼出処理を実行する。具体的には、呼制御部４０は、各無線ＡＰ２，２…を介して各端末装置１，１…に、発信側の端末装置１からの着信があることを通知するパケットを送信し、着信がある旨を通知する。呼制御装置３によって呼出処理が行なわれた端末装置１，１…は、着信音をスピーカ１５ｂから出力し、所有者に着信がある旨を通知する。
【００９３】
一方、開始制御部４４は、帯域予約指示部５０を介して無線ＡＰ２，２…から受信した情報に基づいて、通信帯域の予約が成功した端末装置１が無いと判断した場合、その旨を呼制御部４０へ通知する。呼制御部４０は、通信帯域を予約できた端末装置１が無い旨を通知された場合、発信側の端末装置１に対して帯域不足のために通信できない旨を通知するためのパケットを送信し、発信側の端末装置１との通信を終了する。なお、通信帯域の予約が成功した端末装置１が無い場合、このグループに対する呼出処理及びこの着信に対する呼接続は行なわれないので、開始制御部４４は、このグループのグループＩＤに対応して呼出端末管理テーブル３３ｄに登録された各情報を消去する。
【００９４】
なお、上述した処理では、通信帯域の予約が成功した端末装置１が無い場合、呼制御部４０が、発信側の端末装置１に対して帯域不足のために通信できない旨を通知するためのパケットを送信した後、発信側の端末装置１との通信を終了するので、発信側の端末装置１では、帯域不足のために通信できない旨のメッセージが出力された後、通信が遮断されてしまい、発信側のユーザに不快感を与える虞がある。従って、例えば、受信側の端末装置１又はこの端末装置１が属するグループに対して、帯域不足の際には自動的に所定の端末装置１へ転送するように設定しておくことが考えられる。
【００９５】
この場合、呼制御部４０は、呼出端末管理テーブル３３ｄの予約情報の欄にＯＫが登録された端末装置１が無い旨を通知された時点で所定の端末装置１への転送処理を実行すればよい。また、帯域不足の際には留守番電話機能に切り替えるように設定しておくことも可能であり、この場合、呼制御部４０は、呼出端末管理テーブル３３ｄの予約情報の欄にＯＫが登録された端末装置１が無い旨を通知された時点で留守番電話機能の動作を開始すればよい。
【００９６】
上述したように本実施形態１の呼制御装置３は、呼出端末管理テーブル３３ｄの予約情報の欄にＯＫが登録された端末装置１が１台も無い場合に、発信側の端末装置１に対して帯域不足のために通信できない旨を通知するためのパケットを送信し、発信側の端末装置１との通信を終了する。
【００９７】
しかし、例えば、各グループにおいて呼出端末管理テーブル３３ｄの予約情報の欄にＯＫが登録された端末装置１が所定数以下である場合に呼出処理を行なわない構成とすることもできる。この場合、呼出対象の端末装置１，１…が少なく、着信に対して応答できる可能性が低いので、通信帯域の予約が成功した端末装置１，１…に対しても呼出処理を行なわず、この着信に対する呼接続を行なわないことにより、この呼接続に必要であった通信帯域を他の呼接続に開放することができる。従って、例えば、他の着信に対する呼出処理において、このように開放された通信帯域を利用して呼出対象を増やすことができた場合、この他の着信に対して応答できる可能性を高めることができ、呼制御システム１００全体としての通話機会のロスを抑制することができる。
【００９８】
一方、無線ＡＰ２のパケット転送部２７は、呼制御装置３の呼制御部４０から送信されてきたパケットを送信先の端末装置１へ転送すると共に、各端末装置１，１…から送信されてきたパケットを呼制御装置３の呼制御部４０へ転送する。また、帯域管理テーブル２３ｂに「確定」と登録された端末装置１に対して送受信されるパケットを優先して転送する。帯域管理テーブル２３ｂに「確定」と登録されていない端末装置１へのパケットは、優先されているパケットが送受信されていない間にだけ送受信することができる。
【００９９】
上述した処理により、本実施形態１の呼制御装置３は、１つの端末装置１（代表番号）に対する着信があった場合、この端末装置１と同じグループに属する端末装置１，１…を呼出対象の候補とし、各端末装置１，１…が通信する際に要する通信帯域を確保（予約）できた場合に呼出対象として呼出処理を行ない、いずれかの端末装置１によって応答できるグループ着信機能を実現する。
【０１００】
呼制御装置３による呼出処理の処理対象となった端末装置１，１…のいずれかのユーザが、操作部１６を操作することによって着信に対する応答を行なった場合、端末装置１の制御部１０は、最寄りの無線ＡＰ２を介して呼制御装置３へ応答要求を送信する。呼制御部４０が無線ＡＰ２を介して端末装置１から応答要求を受信した場合、呼出管理部４３の応答制御部４５は、帯域予約指示部５０を介して、各無線ＡＰ２，２…の帯域管理部２８に、応答要求してきた端末装置１に対して予約しておいた通信帯域の予約確定を指示すると共に、応答要求してきた端末装置１以外の端末装置１，１…に対して予約しておいた通信帯域の予約キャンセルを指示する。
【０１０１】
無線ＡＰ２の帯域管理部２８は、帯域予約指示部５０から通信帯域の予約確定を指示された端末装置１、即ち応答要求してきた端末装置１については、対応する帯域管理テーブル２３ｂの予約情報の欄を「確定」に更新し、この端末装置１に対して予約しておいた通信帯域を確保する。また、帯域管理部２８は、帯域予約指示部５０から通信帯域の予約キャンセルを指示された端末装置１，１…、即ち応答要求してきた端末装置１以外の端末装置１，１…の情報を帯域管理テーブル２３ｂから消去し、応答要求してきた端末装置１以外の端末装置１，１…に対して予約しておいた通信帯域の予約をキャンセルする。
【０１０２】
また、呼制御装置３の応答制御部４５は、発信側の端末装置１に、着信に対する応答があることを通知するパケットを送信することにより、応答要求してきた端末装置１の電話番号と共に応答がある旨を通知する。これにより、発信側の端末装置１と応答してきた端末装置１との間の呼接続が確立され、通話が開始される。従って、受信側の端末装置１のユーザが着信に対して応答できない場合であっても、同じグループ内の他のユーザが確実に応答することができるので業務効率を向上させることができる。
【０１０３】
また、着信に対する応答要求があった場合、グループ着信機能によって呼出対象となっていた各端末装置１，１…に対する呼出処理が不要となるので、応答制御部４５は、応答要求してきた端末装置１と同じグループに属する各端末装置１，１…に対する呼出処理の終了を呼制御部４０に指示すると共に、このグループのグループＩＤに対応付けて呼出端末管理テーブル３３ｄに登録された各情報を消去する。
【０１０４】
呼接続が確立され、通話中の端末装置１のユーザが、操作部１６を操作することによって通話を終了した場合、端末装置１の制御部１０は、最寄りの無線ＡＰ２を介して呼制御装置３へ通話切断を送信する。呼制御部４０が無線ＡＰ２を介して端末装置１から通話切断を受信した場合、呼出管理部４３の終了制御部４６は、帯域予約指示部５０を介して、通話切断を送信してきた端末装置１の最寄りの無線ＡＰ２の帯域管理部２８に、通話切断を送信してきた端末装置１が通信するために占有していた通信帯域の開放を指示する。無線ＡＰ２の帯域管理部２８は、帯域予約指示部５０から通信帯域の開放を指示された場合、通話切断を送信してきた端末装置１について帯域管理テーブル２３ｂに登録されている情報を消去する。これにより、端末装置１が通信（通話）を行なうために占有していた通信帯域が開放される。
【０１０５】
グループ着信による呼出処理が開始されている場合に、発信側のユーザが操作部１６を操作することによって発呼をキャンセルした場合、端末装置１の制御部１０は、最寄りの無線ＡＰ２を介して呼制御装置３へ発呼キャンセルを送信する。呼制御部４０が無線ＡＰ２を介して端末装置１から発呼キャンセルを受信した場合、呼出管理部４３の中断制御部４７は、帯域予約指示部５０を介して、各無線ＡＰ２，２…の帯域管理部２８に、この端末装置１からの着信に対する呼出対象の端末装置１，１…に対して予約しておいた通信帯域の予約キャンセルを指示する。無線ＡＰ２，２…の帯域管理部２８は、帯域予約指示部５０から通信帯域の予約キャンセルを指示された場合、対応する端末装置１，１…の情報を帯域管理テーブル２３ｂから消去する。
【０１０６】
また、発呼キャンセルがあった場合、グループ着信機能によって呼出対象となっていた各端末装置１，１…に対する呼出処理が不要となるので、中断制御部４７は、受信側（着信側）の端末装置１が属するグループ内の各端末装置１，１…に対する呼出処理の終了を呼制御部４０に指示すると共に、このグループのグループＩＤに対応付けて呼出端末管理テーブル３３ｄに登録された各情報を消去する。
【０１０７】
上述したように、呼制御装置３の呼制御部４０が、無線ＡＰ２，２…を介して、通話中であった端末装置１，１…から通話切断を受信した場合、発信側の端末装置１から発呼キャンセルを受信した場合、呼出中の端末装置１から応答要求を受信した場合、呼出管理部４３の各部を制御することによって、各無線ＡＰ２，２…における通信帯域の使用状況が変化する。従って、本実施形態１の呼制御装置３では、呼制御部４０は、無線ＡＰ２，２…を介して通話切断、発呼キャンセル、応答要求等を受信することによって各無線ＡＰ２，２…における通信帯域の使用状況の変化を検知することができる。
【０１０８】
また、呼制御部４０は、各無線ＡＰ２，２…における通信帯域の使用状況の変化を検知した場合、その旨をリトライ部４８へ通知する。リトライ部（制御手段）４８は、呼制御部４０から通信帯域の使用状況の変化を通知された場合、呼出端末管理テーブル３３ｄの無線ＡＰのＩＰアドレスの欄に、通信帯域の使用状況が変化した無線ＡＰ２のＩＰアドレスが登録されており、予約情報の欄に「帯域不足」が登録されている端末装置１，１…の情報を読み出し、読み出した情報に基づいて各端末装置１，１…に対する通信帯域の予約処理の実行を帯域予約指示部５０に再度指示する。
【０１０９】
帯域予約指示部５０は、リトライ部４８から取得した情報中の無線ＡＰのＩＰアドレスに基づいて、この無線ＡＰ２，２…の帯域管理部２８に対して、対応する端末装置１が通信を行なうために必要な通信帯域の予約処理の実行を指示する。無線ＡＰ２，２…の帯域管理部２８は、帯域予約指示部５０から取得した端末装置１のＩＰアドレスに基づいて、端末装置１と通信するために必要な通信帯域を検出し、検出した通信帯域の予約処理を行ない、予約処理の結果を帯域管理テーブル２３ｂに登録すると共に帯域予約指示部５０へ通知する。
【０１１０】
予約結果登録部４９は、帯域予約指示部５０を介して無線ＡＰ２から受信した情報を呼出端末管理テーブル３３ｄの予約情報の欄に登録し、リトライ部４８は、呼出端末管理テーブル３３ｄの予約情報にＯＫが新たに登録された端末装置１，１…のＩＰアドレスを呼制御部４０へ通知し、呼制御部４０は、通知されたＩＰアドレスに対応する各端末装置１，１…に対する呼出処理を実行する。
【０１１１】
これにより、呼制御部４０が通話要求（発呼）を受信した時点では通信帯域の予約を失敗して呼出処理の対象とならなかった端末装置１，１…も、通信帯域に余裕ができ、通信帯域を予約できた時点で呼出対象とすることができる。従って、時時刻刻と変化する通信帯域の使用状況に応じて呼出対象を増やすことができるので、着信に対して応答することができる端末装置１，１…の数を増やすことができる。よって、着信に対して応答できる可能性を高めることができ、通話機会のロスを抑制することができる。
【０１１２】
なお、リトライ部４８は、呼制御部４０から通信帯域の使用状況の変化を通知された場合に、呼出端末管理テーブル３３ｄの登録内容に基づいて、通信帯域の予約処理の実行を帯域予約指示部５０に再度指示（リトライ）する。従って、呼制御部４０は、通話中であった端末装置１，１…から通話切断を受信した場合、発信側の端末装置１から発呼キャンセルを受信した場合、呼出中の端末装置１から応答要求を受信した場合、上述したように呼出管理部４３の各部を制御することによって呼出端末管理テーブル３３ｄの登録内容を消去するので、リトライ部４８による不要なリトライを回避することができる。
【０１１３】
また、上述したように、呼制御装置３の制御部３０は、呼出端末管理テーブル３３ｄにおいて、各端末装置１，１…における通信帯域の予約が成功したか否かを示す予約情報を管理しており、各端末装置１，１…における通信帯域の予約が成功又は失敗する都度、対応する予約情報を更新するので、無線ＡＰ２，２…による通信帯域の予約処理が繰り返し行なわれた場合であっても、各端末装置１，１…における通信帯域の予約状況を確実に把握することができる。
【０１１４】
以下に、本実施形態１の呼制御システム１００において、呼制御装置３が発信側の端末装置１から通信要求を受信した場合に発信側の端末装置１及び応答要求した端末装置１間の呼接続を確立する処理についてフローチャートに基づいて説明する。図７及び図８は呼制御装置３による各種処理の手順を示すフローチャートである。なお、以下の処理は、呼制御装置３のＲＯＭ３１又はメモリ部３３に記憶してある制御プログラムに従って制御部３０によって実行される。
【０１１５】
呼制御装置３の制御部３０（呼制御部４０）は、いずれかの無線ＡＰ２を介して発信側の端末装置１から通話要求を受信したか否かを判断しており（Ｓ１）、受信していないと判断した場合（Ｓ１：ＮＯ）、受信するまで通常の動作を行なって待機する。通話要求を受信したと判断した場合（Ｓ１：ＹＥＳ）、制御部３０は、発信側の端末装置１から受信したパケットに基づいて、発信側の端末装置１の電話番号と、受信側の電話番号とを取得する（Ｓ２）。
【０１１６】
次に制御部３０（グループ処理部４１）は、グループ処理を実行し（Ｓ３）、受信側の電話番号がグループＩＤと一致した場合に、グループに属する端末装置１，１…の電話番号をグループテーブル３３ａから取得する。制御部３０（電番ＩＰ交換部４２）は、電番・ＩＰ対応テーブル３３ｂに登録内容に基づいて、グループテーブル３３ａから取得した各電話番号をそれぞれ対応するＩＰアドレスに変換する（Ｓ４）。
【０１１７】
制御部３０（呼出管理部４３、開始制御部４４）は、グループＩＤと、ステップＳ４で変換した各端末装置１，１…のＩＰアドレスとを呼出端末管理テーブル３３ｄに登録する（Ｓ５）。制御部（帯域予約指示部５０）３０は、呼出端末管理テーブル３３ｄに登録された各端末装置１，１…に対応する無線ＡＰ２，２…を端末・ＡＰ紐付けテーブル３３ｃの登録内容に基づいて特定すると共に、呼出端末管理テーブル３３ｄに登録されたグループ毎に、各端末装置１，１…に対する通信帯域の予約処理の実行をそれぞれ対応する無線ＡＰ２，２…に指示する（Ｓ６）。
【０１１８】
制御部３０は、各無線ＡＰ２，２…から通信帯域の予約処理の結果を受信したか否かを判断しており（Ｓ７）、受信していない場合（Ｓ７：ＮＯ）、受信するまで待機する。通信帯域の予約処理の結果を受信したと判断した場合（Ｓ７：ＹＥＳ）、制御部３０は、受信した結果に通信帯域の予約の成功が含まれているか否かに基づいて、呼出処理を実行するか否かを判断する（Ｓ８）。
【０１１９】
呼出処理を実行すると判断した場合（Ｓ８：ＹＥＳ）、制御部３０は、無線ＡＰ２，２…から受信した予約処理の結果を呼出端末管理テーブル３３ｄに登録し（Ｓ９）、呼出端末管理テーブル３３ｄの予約情報の欄にＯＫが登録された端末装置１，１…のＩＰアドレス及びこの端末装置１，１…の最寄りの無線ＡＰ２，２…のＩＰアドレスに基づいて、各無線ＡＰ２，２…を介して各端末装置１，１…に対する呼出処理を実行し（Ｓ１０）、ステップＳ１５へ処理を移行する。
【０１２０】
呼出処理を実行しないと判断した場合（Ｓ８：ＮＯ）、即ち、通信帯域の予約が成功した端末装置１が無い場合、制御部３０は、発信側の端末装置１に対して帯域不足のために通信できない旨を通知するためのパケットを送信し（Ｓ１１）、発信側の端末装置１との通信を終了する（Ｓ１２）。そして、制御部３０は、発信側の端末装置１から受信した通話要求に基づいて呼出端末管理テーブル３３ｄに登録された各情報を消去し（Ｓ１３）、また、この通話要求に基づいて無線ＡＰ２，２…の各帯域管理部２８が行なった通信帯域の予約処理の終了を指示し（Ｓ１４）、ステップＳ１で受信した通話要求に対する処理を終了する。
【０１２１】
制御部３０は、ステップＳ１０で実行した呼出処理に対する応答要求を受信したか否かを判断しており（Ｓ１５）、応答要求を受信したと判断した場合（Ｓ１５：ＹＥＳ）、応答要求してきた端末装置１に対して予約しておいた通信帯域の予約確定を無線ＡＰ２に指示し（Ｓ１６）、発信側の端末装置１に、着信に対する応答があることを通知するパケットを送信して発信側の端末装置１と応答してきた端末装置１との間の呼接続を確立する（Ｓ１７）。
【０１２２】
また、制御部３０は、応答要求してきた端末装置１以外の端末装置１，１…に対して予約しておいた通信帯域の予約キャンセルを、それぞれ対応する無線ＡＰ２，２…に指示し（Ｓ１８）、応答要求してきた端末装置１が属するグループ内の各端末装置１，１…に対する呼出処理を終了する（Ｓ１９）。更に、制御部３０は、発信側の端末装置１から受信した通話要求に基づいて呼出端末管理テーブル３３ｄに登録された各情報を消去し（Ｓ２０）、ステップＳ１で受信した通話要求に対する処理を終了する。なお、制御部３０は、ステップＳ１６，Ｓ１７の処理と、ステップＳ１８，Ｓ１９の処理と、ステップＳ２０の処理とを並行して行なってもよい。
【０１２３】
ステップＳ１５で応答要求を受信していないと判断した場合（Ｓ１５：ＮＯ）、制御部３０は、発信側の端末装置１から発呼キャンセルを受信したか否かを判断する（Ｓ２１）。発呼キャンセルを受信したと判断した場合（Ｓ２１：ＹＥＳ）、制御部３０は、この発信側の端末装置１から受信した通話要求に基づいてステップＳ１０で呼出対象となった端末装置１，１…に対して予約しておいた通信帯域の予約キャンセルを、それぞれ対応する無線ＡＰ２，２…に指示し（Ｓ２２）、ステップＳ１０で呼出対象となった端末装置１，１…に対する呼出処理を終了する（Ｓ２３）。
【０１２４】
また、制御部３０は、この発信側の端末装置１から受信した通話要求に基づいて呼出端末管理テーブル３３ｄに登録された各情報を消去し（Ｓ２４）、ステップＳ１で受信した通話要求に対する処理を終了する。なお、制御部３０は、ステップＳ２２，Ｓ２３の処理と、ステップＳ２４の処理とを並行して行なってもよい。
【０１２５】
ステップＳ２１で発呼キャンセルを受信していないと判断した場合（Ｓ２１：ＮＯ）、制御部３０は、いずれかの端末装置１から通話切断を受信したか否かを判断する（Ｓ２５）。通話切断を受信したと判断した場合（Ｓ２５：ＹＥＳ）、制御部３０は、通話切断を送信してきた端末装置１が通信するために占有していた通信帯域の開放を無線ＡＰ２に指示する（Ｓ２６）。
【０１２６】
制御部３０は、呼出端末管理テーブル３３ｄの無線ＡＰのＩＰアドレスの欄に、端末装置１からの通話切断を転送してきた無線ＡＰ２のＩＰアドレスが登録されており、予約情報の欄に「帯域不足」が登録されている端末装置１，１…があるか否かに基づいて、通信帯域の予約処理のリトライを実行すべきであるか否かを判断する（Ｓ２７）。
【０１２７】
通信帯域の予約処理のリトライを実行すべきであると判断した場合（Ｓ２７：ＹＥＳ）、制御部３０は、ステップＳ６へ処理を戻し、呼出端末管理テーブル３３ｄの無線ＡＰのＩＰアドレスの欄に、端末装置１からの通話切断を転送してきた無線ＡＰ２のＩＰアドレスが登録されており、予約情報の欄に「帯域不足」が登録されている端末装置１，１…に対する通信帯域の予約処理の実行をそれぞれ対応する無線ＡＰ２，２…に指示し（Ｓ６）、通信帯域の予約処理をリトライする。
【０１２８】
なお、ステップＳ２５で通話切断を受信していないと判断した場合（Ｓ２５：ＮＯ）、及びステップＳ２７で通信帯域の予約処理のリトライを実行すべきでないと判断した場合（Ｓ２７：ＮＯ）、制御部３０は、ステップＳ１５へ処理を戻し、上述した処理を繰り返す。
【０１２９】
上述したように、発信側の端末装置１から通話要求があった時点では通信帯域に余裕がなく、通信帯域の予約を失敗して呼出処理の対象とならなかった端末装置１，１…についても、通信帯域の予約処理の指示を無線ＡＰ２，２…に対して繰り返し指示することにより、他の通話が終了したことによって通信帯域に余裕ができ、通信帯域を予約できた時点で呼出対象とすることができる。従って、時時刻刻と変化する通信帯域の使用状況に応じて呼出対象を増やすことができるので、着信に対して応答することができる端末装置１，１…の数を増やすことができる。よって、着信に対して応答できる可能性を高めることができ、通話機会のロスを抑制することができる。
【０１３０】
上述した実施形態１では、呼制御装置３は、グループ着信機能によって１つの通話要求（着信）に対してグループ内の複数の端末装置１，１…に対する呼出処理を行なっている間に、例えば、通話中（通信中）の端末装置１，１…からの通話切断の受信、他の通話要求に対する発呼キャンセルの受信、他の通話要求に対する応答要求の受信等によって各無線ＡＰ２，２…における通信帯域の使用状況の変化を検知した場合、前記呼出処理の際に行なった通信帯域の予約処理によっては通信帯域を予約できなかった端末装置１，１…に対する通信帯域の予約処理を再度実行するので、予約できていない通信帯域の予約が成功する可能性の高いタイミングで通信帯域の予約処理の指示を再度行なうことができ、通信帯域の予約処理を効率よく行なうことができる構成であった。
【０１３１】
しかし、例えば、呼制御装置３の制御部３０にタイマを備え、グループ着信機能に基づく呼出処理を行なっている間、タイマによる計時処理に従って定期的に通信帯域の予約処理を繰り返すように構成してもよい。また、各無線ＡＰ２，２…における通信帯域の使用状況の変化を検知するタイミングと、タイマによって所定時間を計時するタイミングとの両方に従って通信帯域の予約処理を繰り返すようにしてもよい。
【０１３２】
上述した実施形態１では、端末装置１，１…が通信に必要な帯域の予約処理を各無線ＡＰ２，２…の帯域管理部２８が行なっていたが、呼制御装置３が行なう構成でもよい。この場合、呼制御装置３は、各無線ＡＰ２，２…における帯域管理テーブル２３ｂを管理すると共に、各端末装置１，１…に対する通信帯域の予約処理、呼出処理に対して応答してきた端末装置１に対する通信帯域の予約確定処理等を行なう必要がある。
【０１３３】
（実施形態２）
以下に、本発明に係る呼制御装置を備えた呼制御システムを、その実施形態２を示す図面に基づいて詳述する。なお、本実施形態２の呼制御システム１００は、上述した実施形態１の呼制御システム１００と同様の構成によって実現することができるので、同様の構成については同一の符号を付して説明を省略する。
【０１３４】
上述した実施形態１の呼制御システム１００では、無線ＡＰ２，２…による通信帯域の予約処理の結果、通信帯域を予約できた端末装置１が１台も無い場合、呼制御装置３は、発信側の端末装置１に対して帯域不足のために通信できない旨を通知するためのパケットを送信し、発信側の端末装置１との通信を終了する構成であった。また、上述した実施形態１の変形例として、発信側の端末装置１との通信を終了するだけでなく、所定の端末装置１への転送、留守番電話機能への切り替え等を行なうことによって帯域不足に対応することはできるが、多少の待ち時間を要しても確実に着信者、又は着信者の付近にいる人に応答して欲しいという発信者の要望に応えることはできなかった。
【０１３５】
そこで、本実施形態２の呼制御システム１００では、無線ＡＰ２，２…による通信帯域の予約処理の結果、通信帯域を予約できなかった端末装置１が有る場合、呼制御装置３は、通信帯域が不足している無線ＡＰ２，２…のエリア内において通話中の端末装置１，１…に、帯域が不足している旨を通知するように構成されている。
【０１３６】
図９は実施形態２に係る呼制御装置及び無線ＡＰの機能構成を示すブロック図である。本実施形態２の呼制御装置３において、制御部３０は、ＲＯＭ３１又はメモリ部３３に格納されている制御プログラムを実行することによって、呼制御部４０、グループ処理部４１、電番ＩＰ交換部４２、呼出管理部４３、帯域予約指示部５０、端末・ＡＰ紐付け部５１の各機能のほかに、帯域不足通知部５２の機能を実現する。
【０１３７】
また、本実施形態２の無線ＡＰ２において、制御部２０は、ＲＯＭ２１又はメモリ部２３に格納されている制御プログラムを実行することによって、パケット転送部２７、帯域管理部２８、端末管理部２９の各機能のほかに、ガイダンス作成部５３、ガイダンス挿入部５４の各機能を実現する。
【０１３８】
なお、本実施形態２では、呼制御部４０が発信側の端末装置１から通話要求を受信し、開始制御部４４が帯域予約指示部５０を介して無線ＡＰ２，２…に通信帯域の予約処理の実行を指示し、帯域予約指示部５０が無線ＡＰ２，２…から通信帯域の予約処理の結果を受信した場合、予約結果登録部４９は、通信帯域の予約が成功した端末装置１が有るか否かに拘わらず、帯域予約指示部５０を介して無線ＡＰ２，２…から受信した情報を、各無線ＡＰ２，２…のＩＰアドレスと共に呼出端末管理テーブル３３ｄの予約情報及び無線ＡＰのＩＰアドレスの欄にそれぞれ登録する。
【０１３９】
予約結果登録部４９によって呼出端末管理テーブル３３ｄの予約情報が登録された場合、開始制御部４４は、呼出端末管理テーブル３３ｄの予約情報の欄にＯＫが登録された端末装置１，１…のＩＰアドレス及びこの端末装置１，１…の最寄りの無線ＡＰ２，２…のＩＰアドレスを呼制御部４０へ通知する。呼制御部４０は、通知された無線ＡＰ２，２…を介して各端末装置１，１…に対する呼出処理を実行する。
【０１４０】
また、開始制御部４４は、呼出端末管理テーブル３３ｄの予約情報の欄に帯域不足が登録された端末装置１，１…が有るか否かを判断し、有ると判断した場合、呼出端末管理テーブル３３ｄの予約情報の欄に帯域不足が登録された端末装置１，１…に対応する無線ＡＰ２，２…のＩＰアドレスを、帯域不足通知部５２へ通知する。これにより、開始制御部４４は、無線ＡＰ２，２…によるガイダンスの挿入処理の実行を帯域不足通知部５２に指示する。帯域不足通知部５２は、開始制御部４４から通知された無線ＡＰ２，２…のガイダンス作成部５３に対して、通信帯域が不足していることを通知するガイダンスの挿入処理の実行を指示する。
【０１４１】
呼制御部４０が各無線ＡＰ２，２…における通信帯域の使用状況の変化を検知し、リトライ部４８が、通信帯域を予約できていない端末装置１，１…に対する通信帯域の予約処理をリトライし、予約結果登録部４９が、帯域予約指示部５０を介して無線ＡＰ２，２…から受信した情報を、各無線ＡＰ２，２…のＩＰアドレスと共に呼出端末管理テーブル３３ｄの予約情報及び無線ＡＰのＩＰアドレスの欄にそれぞれ登録した場合、リトライ部４８は、呼出端末管理テーブル３３ｄの予約情報の欄にＯＫが登録された端末装置１，１…のＩＰアドレス及びこの端末装置１，１…の最寄りの無線ＡＰ２，２…のＩＰアドレスを呼制御部４０へ通知する。
【０１４２】
また、リトライ部４８は、呼出端末管理テーブル３３ｄの予約情報の欄に帯域不足が登録された端末装置１，１…が有るか否かを判断し、有ると判断した場合、呼出端末管理テーブル３３ｄの予約情報の欄に帯域不足が登録された端末装置１，１…に対応する無線ＡＰ２，２…のＩＰアドレスを、帯域不足通知部５２へ通知する。帯域不足通知部５２は、リトライ部４８から通知された無線ＡＰ２，２…のガイダンス作成部５３に対して、通信帯域が不足していることを通知するガイダンスの挿入処理の実行を指示する。
【０１４３】
無線ＡＰ２，２…のガイダンス作成部５３は、呼制御装置３の帯域不足通知部５２からガイダンスの挿入処理の実行を指示された場合、パケット転送部２７が転送するパケットを抽出し、抽出したパケットに基づいて、自身の無線ＡＰ２のエリア内で通話中の端末装置１と、この端末装置１が音声パケットを生成する際に用いるコーデックの種類とをそれぞれ特定する。
【０１４４】
なお、端末装置１，１…は通常、複数種類のコーデック（例えば、ITU-T G711、G729等）（図示せず）を備えており、通信（通話）相手の端末装置１，１…との間で通信を開始する際に、どのコーデックを使用するかを決定する。そして、端末装置１，１…は、ユーザの発話によってマイク１５ａが集音した音声データに対して、決定したコーデックによる符号化処理を行ない、更にパケット化処理を行なった後、音声パケットとして通信相手へ送信する。通話中の端末装置１，１間で送受信されるパケットは、端末装置１，１のそれぞれにおいて使用されているコーデックの種類を示す情報を含んでおり、無線ＡＰ２，２…のガイダンス作成部５３は、抽出したパケットに含まれる情報に基づいて、通話中の各端末装置１，１…が使用中のコーデックの種類を特定することができる。
【０１４５】
また、ガイダンス作成部５３はメモリ（図示せず）を有しており、メモリに、通信帯域が不足している旨を通知するためのガイダンス用の音声データと、コーデックの種類に対応付けて音声データのフォーマット形式（データ形式）が登録してあるテーブルとを格納している。従って、ガイダンス作成部５３は、通話中の端末装置１と、この端末装置１が使用中のコーデックの種類とを特定した場合、特定したコーデックの種類に対応するフォーマット形式をテーブルから特定し、メモリに格納されているガイダンス用の音声データに対して、特定したフォトマットに変換する処理を行なってガイダンスデータを作成する。ガイダンス作成部５３は、作成したガイダンスデータをガイダンス挿入部５４へ出力する。
【０１４６】
ガイダンス挿入部（通知手段）５４は、パケット転送部２７が転送するパケットから、ガイダンス作成部５３が作成したガイダンスデータを挿入すべき端末装置１へのパケットを特定し、端末装置１へパケットを転送する際に、端末装置１へのパケットの音声データにガイダンスデータを重畳させて転送する。これにより、ガイダンスデータが重畳されたパケットを受信した端末装置１，１…では、スピーカ１５ｂによって通話相手が発話した音声と、通信帯域が不足している旨を通知するガイダンスとが出力され、通話中のユーザに通話の終了を促すことができる。
【０１４７】
なお、本実施形態２の無線ＡＰ２，２…は、ガイダンス作成部５３のメモリに、ガイダンス用の音声データを格納してある構成であるが、例えば、「帯域が不足しています」等のメッセージをテキストデータで格納しておく構成でもよい。この場合、無線ＡＰ２，２…は、このテキストデータに基づいて、通話中の端末装置１が使用中のコーデックの種類に対応するフォーマット形式の音声データを作成すればよい。また、音声データに重畳させるガイダンスデータは、通信帯域が不足していることを通知できればよいので、メッセージに限られず、所定の通知音、効果音等であってもよい。
【０１４８】
無線ＡＰ２，２…のガイダンス作成部５３は、上述した処理を、自身の無線ＡＰ２のエリア内において通話中の全ての端末装置１，１…に対して行なう。これにより、通話中の端末装置１，１…へ通信帯域が不足していることを通知することができ、通話中の端末装置１，１…のユーザ（通話者）に対して通話の終了を促すことができる。従って、通信帯域を占有して通話しているユーザに帯域を開放するように促すことによって帯域が開放された場合、発信側の端末装置１から通話要求があった時点では通信帯域に余裕がなく、通信帯域の予約を失敗して呼出処理の対象とならなかった端末装置１，１…も、通信帯域を予約できた時点で呼出対象とすることができる。
【０１４９】
また、発信側の端末装置１から通話要求があった時点で通話中であった端末装置１においても、通話を終了し、通信帯域を予約できた時点で呼出対象とすることができる。従って、通信帯域を実際に占有している各ユーザに通信帯域の開放を促すことができるので、着信に対して応答することができる端末装置１，１…の数を増やすことができる。よって、着信に対して応答できる可能性を高めることができ、通話機会のロスを抑制することができる。
【０１５０】
以下に、本実施形態２の呼制御システム１００において、呼制御装置３が発信側の端末装置１から通信要求を受信した場合に発信側の端末装置１及び応答要求した端末装置１間の呼接続を確立する処理についてフローチャートに基づいて説明する。図１０及び図１１は呼制御装置３による各種処理の手順を示すフローチャートである。なお、以下の処理は、呼制御装置３のＲＯＭ３１又はメモリ部３３に記憶してある制御プログラムに従って制御部３０によって実行される。
【０１５１】
呼制御装置３の制御部３０は、いずれかの無線ＡＰ２を介して発信側の端末装置１から通話要求を受信したか否かを判断しており（Ｓ３１）、受信していないと判断した場合（Ｓ３１：ＮＯ）、受信するまで通常の動作を行なって待機する。通話要求を受信したと判断した場合（Ｓ３１：ＹＥＳ）、制御部３０は、発信側の端末装置１から受信したパケットに基づいて、発信側の端末装置１の電話番号と、受信側の電話番号とを取得する（Ｓ３２）。
【０１５２】
次に制御部３０は、グループ処理を実行し（Ｓ３３）、受信側の電話番号がグループＩＤと一致した場合にグループに属する端末装置１，１…の電話番号をグループテーブル３３ａから取得する。制御部３０は、電番・ＩＰ対応テーブル３３ｂに登録内容に基づいて、グループテーブル３３ａから取得した各電話番号をそれぞれ対応するＩＰアドレスに変換する（Ｓ３４）。
【０１５３】
制御部３０は、グループＩＤと、ステップＳ３４で変換した各端末装置１，１…のＩＰアドレスとを呼出端末管理テーブル３３ｄに登録する（Ｓ３５）。制御部３０は、呼出端末管理テーブル３３ｄに登録された各端末装置１，１…に対応する無線ＡＰ２，２…を端末・ＡＰ紐付けテーブル３３ｃの登録内容に基づいて特定すると共に、呼出端末管理テーブル３３ｄに登録されたグループ毎に、各端末装置１，１…に対する通信帯域の予約処理の実行をそれぞれ対応する無線ＡＰ２，２…に指示する（Ｓ３６）。
【０１５４】
制御部３０は、各無線ＡＰ２，２…から通信帯域の予約処理の結果を受信したか否かを判断しており（Ｓ３７）、受信していない場合（Ｓ３７：ＮＯ）、受信するまで待機する。通信帯域の予約処理の結果を受信したと判断した場合（Ｓ３７：ＹＥＳ）、制御部３０は、無線ＡＰ２，２…から受信した予約処理の結果を呼出端末管理テーブル３３ｄに登録する（Ｓ３８）。
【０１５５】
制御部３０は、呼出端末管理テーブル３３ｄの予約情報の欄にＯＫが登録された端末装置１，１…のＩＰアドレス及びこの端末装置１，１…の最寄りの無線ＡＰ２，２…のＩＰアドレスに基づいて、各無線ＡＰ２，２…を介して各端末装置１，１…に対する呼出処理を実行する（Ｓ３９）。制御部３０は、呼出端末管理テーブル３３ｄの予約情報の欄に帯域不足が登録された端末装置１，１…が有るか否かを判断し（Ｓ４０）、有ると判断した場合（Ｓ４０：ＹＥＳ）、呼出端末管理テーブル３３ｄの予約情報の欄に帯域不足が登録された端末装置１，１…に対応する無線ＡＰ２，２…に、所定のガイダンスの挿入処理の実行を指示する（Ｓ４１）。
【０１５６】
制御部３０は、呼出端末管理テーブル３３ｄの予約情報の欄に帯域不足が登録された端末装置１，１…が無いと判断した場合（Ｓ４０：ＮＯ）、ステップＳ４１の処理をスキップし、ステップＳ３９で実行した呼出処理に対する応答要求を受信したか否かを判断する（Ｓ４２）。制御部３０は、応答要求を受信したと判断した場合（Ｓ４２：ＹＥＳ）、応答要求してきた端末装置１に対して予約しておいた通信帯域の予約確定を無線ＡＰ２に指示し（Ｓ４３）、発信側の端末装置１に、着信に対する応答があることを通知するパケットを送信して発信側の端末装置１と応答してきた端末装置１との間の呼接続を確立する（Ｓ４４）。
【０１５７】
また、制御部３０は、応答要求してきた端末装置１以外の端末装置１，１…に対して予約しておいた通信帯域の予約キャンセルを、それぞれ対応する無線ＡＰ２，２…に指示し（Ｓ４５）、応答要求してきた端末装置１が属するグループ内の各端末装置１，１…に対する呼出処理を終了する（Ｓ４６）。更に、制御部３０は、発信側の端末装置１から受信した通話要求に基づいて呼出端末管理テーブル３３ｄに登録された各情報を消去し（Ｓ４７）、ステップＳ３１で受信した通話要求に対する処理を終了する。なお、制御部３０は、ステップＳ４３，Ｓ４４の処理と、ステップＳ４５，Ｓ４６の処理と、ステップＳ４７の処理とを並行して行なってもよい。
【０１５８】
ステップＳ４２で応答要求を受信していないと判断した場合（Ｓ４２：ＮＯ）、制御部３０は、発信側の端末装置１から発呼キャンセルを受信したか否かを判断する（Ｓ４８）。発呼キャンセルを受信したと判断した場合（Ｓ４８：ＹＥＳ）、制御部３０は、この発信側の端末装置１から受信した通話要求に基づいてステップＳ３９で呼出対象となった端末装置１，１…に対して予約しておいた通信帯域の予約キャンセルを、それぞれ対応する無線ＡＰ２，２…に指示し（Ｓ４９）、ステップＳ３９で呼出対象となった端末装置１，１…に対する呼出処理を終了する（Ｓ５０）。
【０１５９】
また、制御部３０は、この発信側の端末装置１から受信した通話要求に基づいて呼出端末管理テーブル３３ｄに登録された各情報を消去し（Ｓ５１）、ステップＳ３１で受信した通話要求に対する処理を終了する。なお、制御部３０は、ステップＳ４９，Ｓ５０の処理と、ステップＳ５１の処理とを並行して行なってもよい。
【０１６０】
ステップＳ４８で発呼キャンセルを受信していないと判断した場合（Ｓ４８：ＮＯ）、制御部３０は、いずれかの端末装置１から通話切断を受信したか否かを判断する（Ｓ５２）。通話切断を受信したと判断した場合（Ｓ５２：ＹＥＳ）、制御部３０は、通話切断を送信してきた端末装置１が通信するために占有していた通信帯域の開放を無線ＡＰ２に指示する（Ｓ５３）。
【０１６１】
制御部３０は、呼出端末管理テーブル３３ｄの無線ＡＰのＩＰアドレスの欄に、端末装置１からの通話切断を転送してきた無線ＡＰ２のＩＰアドレスが登録されており、予約情報の欄に「帯域不足」が登録されている端末装置１，１…があるか否かに基づいて、通信帯域の予約処理のリトライを実行すべきであるか否かを判断する（Ｓ５４）。
【０１６２】
通信帯域の予約処理のリトライを実行すべきであると判断した場合（Ｓ５４：ＹＥＳ）、制御部３０は、ステップＳ３６へ処理を戻し、呼出端末管理テーブル３３ｄの無線ＡＰのＩＰアドレスの欄に、端末装置１からの通話切断を転送してきた無線ＡＰ２のＩＰアドレスが登録されており、予約情報の欄に「帯域不足」が登録されている端末装置１，１…に対する通信帯域の予約処理の実行をそれぞれ対応する無線ＡＰ２，２…に指示し（Ｓ３６）、通信帯域の予約処理をリトライする。ただし、リトライ時には、ステップＳ４０，Ｓ４１にあるガイダンス生成に関する処理を行なわない。
【０１６３】
なお、ステップＳ５２で通話切断を受信していないと判断した場合（Ｓ５２：ＮＯ）、及びステップＳ５４で通信帯域の予約処理のリトライを実行すべきでないと判断した場合（Ｓ５４：ＮＯ）、制御部３０は、ステップＳ４２へ処理を戻し、上述した処理を繰り返す。
【０１６４】
上述したように、発信側の端末装置１から通話要求があった時点では通信帯域に余裕がなく、通信帯域の予約を失敗して呼出処理の対象とならなかった端末装置１，１…についても、ガイダンスによって通話の終了を促されたユーザが通話を終了したことによって通信帯域に余裕ができた場合、通信帯域を予約できた時点で呼出対象とすることができる。従って、呼出対象を効率よく増やすことができるので、着信に対して応答できる可能性を高めることができ、通話機会のロスを抑制することができる。
【０１６５】
以下に、本実施形態２の呼制御システム１００において、無線ＡＰ２，２…が行なうガイダンスの挿入処理についてフローチャートに基づいて説明する。図１２は無線ＡＰ２によるガイダンスの挿入処理の手順を示すフローチャートである。なお、以下の処理は、無線ＡＰ２のＲＯＭ２１又はメモリ部２３に記憶してある制御プログラムに従って制御部２０によって実行される。
【０１６６】
無線ＡＰ２の制御部２０は、呼制御装置３からガイダンスの挿入処理の実行を指示されたか否かを判断しており（Ｓ６１）、指示されていないと判断した場合（Ｓ６１：ＮＯ）、指示されるまで通常の動作を行なって待機する。呼制御装置３からガイダンスの挿入処理の実行を指示されたと判断した場合（Ｓ６１：ＹＥＳ）、制御部２０は、通話中の端末装置１，１間で送受信されるパケットを抽出し（Ｓ６２）、抽出したパケットに基づいて、自身の無線ＡＰ２のエリア内で通話中の端末装置１と、この端末装置１が使用中のコーデックの種類とをそれぞれ特定する（Ｓ６３）。
【０１６７】
制御部２０は、メモリに記憶してある所定のガイダンス用の音声データに対して、特定したコーデックの種類に対応するフォーマット形式に変換する処理を行なってガイダンスデータを作成し（Ｓ６４）、作成したガイダンスデータを、特定した通話中の端末装置１へ送信するパケットの音声データに重畳させて転送する（Ｓ６５）。制御部２０は、自身の無線ＡＰ２のエリア内で通話中の全ての端末装置１，１…に対して上述した処理を終了したか否かを判断しており（Ｓ６６）、終了していないと判断した場合（Ｓ６６：ＮＯ）、ステップＳ６２へ処理を戻し、終了したと判断した場合（Ｓ６６：ＹＥＳ）、上述したガイダンスの挿入処理を終了する。ただし、この処理を行なうのは無線ＡＰ２に限定しない。呼制御装置３で実施する場合もあるとする。
【０１６８】
上述した実施形態２の呼制御装置３は、発信側の端末装置１から通話要求を受信した場合、又は各無線ＡＰ２，２…における通信帯域の使用状況が変化した場合、無線ＡＰ２，２…に対して各端末装置１，１…の通信帯域の予約処理の実行を指示し、無線ＡＰ２，２…から予約処理の結果を受信する都度、通信帯域を予約できない端末装置１，１…があれば、対応する無線ＡＰ２，２…に対してガイダンスの挿入処理の実行を指示する構成である。
【０１６９】
しかし、例えば、通信帯域を予約できない端末装置１，１…が所定数以上あるか否かを判断し、所定数以上ある場合にのみ、対応する無線ＡＰ２，２…に対してガイダンスの挿入処理の実行を指示する構成としてもよい。通信帯域を予約できない端末装置１，１…が少数であれば、通信帯域を予約できた端末装置１，１…によって応答すればよいので通話中のユーザに通信帯域が不足している旨を通知して通信帯域の開放を促す必要はないが、通信帯域を予約できない端末装置１，１…が多数あれば、通話中のユーザに通信帯域の開放を促すことによって、通信帯域の開放を期待することができ、グループ着信において効率よく複数の端末装置１，１…に対する呼出処理を行なうことができる。
【０１７０】
上述した実施形態２の呼制御システム１００では、無線ＡＰ２，２…は、呼制御装置３からガイダンスの挿入処理の実行を指示される都度ガイダンスの挿入処理を実行する構成であるので、無線ＡＰ２，２…は、呼制御装置３から指示された場合に１回ガイダンスを挿入するのみである。従って、例えば、呼制御装置３を、無線ＡＰ２，２…から受信した予約処理の結果に基づいて、通信帯域を予約できない端末装置１，１…があると判断した場合にガイダンスの挿入処理の実行を指示すると共に、無線ＡＰ２，２…から受信した予約処理の結果に基づいて、各無線ＡＰ２，２…において通信帯域を予約できない端末装置１，１…がなくなったと判断した場合にガイダンスの挿入処理の終了を指示するように構成し、無線ＡＰ２，２…を、呼制御装置３からガイダンスの挿入処理の実行を指示されてから、ガイダンスの挿入処理の終了を指示されるまでの間、定期的にガイダンスを挿入するように構成してもよい。この場合、各無線ＡＰ２，２…において通信帯域を予約できない端末装置１，１…がなくなるまで、通話中のユーザに通信帯域の開放を促すことができ、より早期に通信帯域の開放を期待することができる。
【０１７１】
なお、上述した変形例では、無線ＡＰ２，２…がそれぞれ、呼制御装置３からガイダンスの挿入処理の実行を指示されてから、ガイダンスの挿入処理の終了を指示されるまでの間、定期的にガイダンスを挿入する構成であるが、呼制御装置３が、定期的にガイダンスの挿入処理の実行を無線ＡＰ２，２…に指示することによっても同様の効果が得られる。この場合、無線ＡＰ２，２…は、呼制御装置３からガイダンスの挿入処理の実行を指示される都度、ガイダンスの挿入処理を実行すればよい。
【０１７２】
上述した実施形態２の呼制御システム１００では、呼制御装置３は、無線ＡＰ２，２…から受信した予約処理の結果を呼出端末管理テーブル３３ｄに登録し、呼出端末管理テーブル３３ｄの登録内容に基づいて、通信帯域を予約できた端末装置１，１…に対しては呼出処理を行ない、通信帯域を予約できなかった端末装置１，１…に対しては最寄りの無線ＡＰ２，２…にガイダンスの挿入処理の実行を指示する構成である。
【０１７３】
従って、通信帯域を予約できた端末装置１が１台も無い場合であっても、呼制御装置３は、対応する無線ＡＰ２，２…にガイダンスの挿入処理の実行を指示し、通信帯域が開放されるまで待機するので、発信者は長時間待たされる可能性がある。そこで、例えば、各無線ＡＰ２，２…における通信帯域が所定時間以上開放されない場合、発信側の端末装置１に対して帯域不足のために通信できない旨を通知するためのパケットを送信し、発信側の端末装置１との通信を終了するように構成してもよい。
【０１７４】
このような構成によれば、通信帯域が所定時間以上開放されないことよって、呼出対象となる端末装置１，１…を増やすことができず、着信に対して応答できる可能性を高めることができない場合には、この着信に対する応答を諦め、通話の終了、所定の端末装置１への転送又は留守番電話機能への切り替えを行なうことにより、発信者に与える不快感を多少解消することができると共に、他の着信に対して通信帯域を開放することによって呼制御システム１００全体としての通話機会のロスを抑制することができる。なお、この場合、呼制御装置３は、各無線ＡＰ２，２…毎に、各無線ＡＰ２，２…における通信帯域の使用状況が変化しない時間を計時すると共に管理する必要がある。
【０１７５】
（実施形態３）
以下に、本発明に係る呼制御装置を備えた呼制御システムを、その実施形態３を示す図面に基づいて詳述する。なお、本実施形態３の呼制御システム１００は、上述した実施形態１の呼制御システム１００と同様の構成によって実現することができるので、同様の構成については同一の符号を付して説明を省略する。
【０１７６】
上述した実施形態１の呼制御システム１００では、無線ＡＰ２，２…による通信帯域の予約処理の結果、通信帯域を予約できた端末装置１が１台も無い場合、呼制御装置３は、発信側の端末装置１に対して帯域不足のために通信できない旨を通知するためのパケットを送信し、発信側の端末装置１との通信を終了する構成であった。また、上述した実施形態２の呼制御システム１００では、無線ＡＰ２，２…による通信帯域の予約処理の結果、通信帯域を予約できなかった端末装置１が有る場合、呼制御装置３は、通信帯域が不足している無線ＡＰ２，２…のエリア内において通話中の端末装置１，１…に、帯域が不足している旨を通知する構成であった。
【０１７７】
本実施形態３の呼制御システム１００では、無線ＡＰ２，２…による通信帯域の予約処理の結果、通信帯域を予約できた端末装置１が１台も無い無線ＡＰ２，２…が有る場合、呼制御装置３は、その無線ＡＰ２，２…の近傍の無線ＡＰ２，２…のエリア内における各端末装置１，１…を呼出処理の対象とするように構成されている。
【０１７８】
図１３は実施形態３に係る呼制御装置及び無線ＡＰの機能構成を示すブロック図である。本実施形態３の呼制御装置３において、制御部３０は、ＲＯＭ３１又はメモリ部３３に格納されている制御プログラムを実行することによって、呼制御部４０、グループ処理部４１、電番ＩＰ交換部４２、呼出管理部４３、帯域予約指示部５０、端末・ＡＰ紐付け部５１の各機能のほかに、無線ＡＰ位置管理部５５、着信音管理部５６の各機能を実現する。また、本実施形態３の無線ＡＰ２において、制御部２０は、ＲＯＭ２１又はメモリ部２３に格納されている制御プログラムを実行することによって、パケット転送部２７、帯域管理部２８、端末管理部２９の各機能のほかに、近傍把握部５７の機能を実現する。
【０１７９】
本実施形態３では、無線ＡＰ２，２…の制御部２０（近傍把握部５７）は、例えば１日に１，２回程度、全てのチャンネルをスキャンすることにより、他の無線ＡＰ２，２…の存在を検出する。無線ＡＰ２が他の無線ＡＰ２，２…から受信するパケットは、他の無線ＡＰ２，２…までの距離が近いほど強い強度の電波で受信されるので、制御部２０は、無線通信部２４を介して他の無線ＡＰ２，２…から受信した電波の強度に基づいて、自身の周囲に存在する他の無線ＡＰ２，２…との距離を検出することができる。近傍把握部５７は、自身からの距離が近い順に各無線ＡＰ２，２…のＩＰアドレスをメモリ（図示せず）に格納する。
【０１８０】
また、近傍把握部５７は、自身の近傍の無線ＡＰ２，２…を把握（検出）できた場合、メモリに格納した各無線ＡＰ２，２…のＩＰアドレスを呼制御装置３の無線ＡＰ位置管理部５５へ通知する。呼制御装置３の無線ＡＰ位置管理部５５は、各無線ＡＰ２，２…から、それぞれの無線ＡＰ２，２…の近傍の無線ＡＰ２，２…を通知された場合、各無線ＡＰ２，２…のＩＰアドレスに対応付けて、それぞれの無線ＡＰ２，２…の近傍の無線ＡＰ２，２…のＩＰアドレスを、図１４（ａ）に示すような位置管理テーブル（位置記憶手段）５５ａに登録する。これにより、近傍把握部５７は、各無線ＡＰ２，２…において、それぞれの近傍に存在する無線ＡＰ２，２…の位置関係を把握することができる。
【０１８１】
図１４は呼制御装置３のメモリ部３３に記憶されている各テーブルの登録内容を示す模式図である。なお、図１４（ａ）には位置管理テーブル５５ａを、図１４（ｂ）には着信音管理テーブル５６ａをそれぞれ示している。
【０１８２】
図１４（ａ）に示すように、位置管理テーブル５５ａには、呼制御システム１００における各無線ＡＰ２，２…のＩＰアドレスに対応付けて、各無線ＡＰ２，２…の近傍の無線ＡＰ２，２…のＩＰアドレスが近い順に登録されている。位置管理テーブル５５ａの登録内容は、上述したように、各無線ＡＰ２，２…からそれぞれの近傍に存在する無線ＡＰ２，２…の情報を受信する都度、制御部３０によって追加又は修正される。
【０１８３】
図１４（ｂ）に示すように、着信音管理テーブル（着信音記憶手段）５６ａには、各グループのグループＩＤに対応付けて着信音データが登録されている。着信音管理テーブル５６ａの登録内容は、呼制御部４０が通話要求を受信し、開始制御部４４がグループＩＤ及び各端末装置１，１…のＩＰアドレスを呼出端末管理テーブル３３ｄに登録する際に、着信音管理部５６によって登録される。
【０１８４】
本実施形態３では、呼制御部４０が発信側の端末装置１から通話要求を受信した場合、グループ処理部４１が、グループＩＤを検索し、通話要求がグループ着信であるか否かを判断し、グループ着信であった場合、グループ内の端末装置１，１…の電話番号をグループテーブル３３ａから取得する。
【０１８５】
なお、グループ処理部４１によるグループ処理の後に行なう、電番ＩＰ交換部４２による電話番号のＩＰアドレスへの変換処理、開始制御部４４による呼出端末管理テーブル３３ｄへの登録処理、呼出端末管理テーブル３３ｄに登録された情報に基づく帯域予約指示部５０による通信帯域の予約処理の指示、帯域予約指示部５０による無線ＡＰ２，２…からの通信帯域の予約処理の結果の受信処理等は、上述した実施形態１，２と同様であるので説明を省略する。
【０１８６】
本実施形態３では、上述した実施形態２と同様に、帯域予約指示部５０が無線ＡＰ２，２…から通信帯域の予約処理の結果を受信した場合、予約結果登録部４９は、通信帯域の予約が成功した端末装置１が有るか否かに拘わらず、帯域予約指示部５０を介して無線ＡＰ２，２…から受信した情報を、各無線ＡＰ２，２…のＩＰアドレスと共に呼出端末管理テーブル３３ｄの予約情報及び無線ＡＰのＩＰアドレスの欄にそれぞれ登録する。
【０１８７】
予約結果登録部４９によって呼出端末管理テーブル３３ｄの予約情報が登録された場合、着信音管理部５６は、呼出端末管理テーブル３３ｄに記載されたグループＩＤに適合する着信音データを着信音管理テーブル５６ａから取得し、開始制御部４４に通知する。開始制御部４４は、呼出端末管理テーブル３３ｄの予約情報の欄にＯＫが登録された端末装置１，１…のＩＰアドレス及びこの端末装置１，１…の最寄りの無線ＡＰ２，２…のＩＰアドレス、着信音データを呼制御部４０へ通知する。呼制御部４０は、通知された無線ＡＰ２，２…を介して各端末装置１，１…に対する呼出処理を実行する。このとき、呼出処理と同時に各端末装置１，１…に着信音を指示或いは転送する。
【０１８８】
また、開始制御部４４は、全ての端末装置１，１…に対する通信帯域を予約できなかった無線ＡＰ２，２…が有るか否かを判断する。具体的には、開始制御部４４は、無線ＡＰ２，２…毎に、呼出端末管理テーブル３３ｄの予約情報の欄にＯＫが登録された端末装置１，１…が少なくとも１台有るか否かを判断し、ＯＫが登録された端末装置１が１台も無い無線ＡＰ２，２…が有ると判断した場合、その無線ＡＰ２，２…のＩＰアドレスを無線ＡＰ位置管理部５５へ通知する。
【０１８９】
無線ＡＰ位置管理部５５は、開始制御部４４から通知された無線ＡＰ２，２…のＩＰアドレスを位置管理テーブル５５ａから検索し、通知された無線ＡＰ２，２…の最も近傍の無線ＡＰ２を特定する。具体的には、無線ＡＰ位置管理部５５は、位置管理テーブル５５ａの近傍の無線ＡＰのＩＰアドレスの欄の１番目に登録されている無線ＡＰ２を特定し、特定した無線ＡＰ２のＩＰアドレスを取得し、開始制御部４４へ通知する。開始制御部４４は、無線ＡＰ位置管理部５５から通知された近傍の無線ＡＰ２のＩＰアドレスに基づいて、この近傍の無線ＡＰ２のエリア内の端末装置１，１…に対する通信帯域の予約処理の実行を帯域予約指示部５０に指示する。
【０１９０】
帯域予約指示部５０は、開始制御部４４から指示された無線ＡＰ２の帯域管理部２８に対して、各端末装置１，１…が通信を行なうために必要な通信帯域の予約処理の実行を指示し、帯域管理部２８による通信帯域の予約処理の結果を受信する。開始制御部４４は、帯域予約指示部５０を介して無線ＡＰ２から受信した通信帯域の予約処理の結果、通信帯域を予約できた端末装置１が有るか否かを判断し、有ると判断した場合、このグループ着信に対する着信音データを着信音管理部５６を介して着信音管理テーブル５６ａから取得し、通信帯域を予約できた端末装置１に対して、取得した着信音データでの呼出処理を行なうように呼制御部４０へ通知する。
【０１９１】
このような処理により、呼制御部４０によって呼出処理が行なわれた端末装置１，１…は、自身が属するグループではない他のグループに設定された着信音を出力するので、端末装置１，１…のユーザは、着信音を聞いてどのグループに対する着信があるのかを容易に把握することができる。また、本来の着信側の端末装置１のユーザは、近傍の端末装置１，１…での着信音を聞いて、自身の無線ＡＰ２のエリア内では通信帯域が不足していることを把握することができるので、通話中のユーザに通話の終了を促すこともできる。また、本来の着信側のユーザは、このように他のグループの端末装置１，１…において着信音が出力された着信に対して応答したい場合、自身が属するグループではない他のグループの端末装置１，１…によって応答してもよく、また、この着信音が出力されている端末装置１，１…のエリア内へ移動し、他のグループの無線ＡＰ２を介して自身の端末装置１で応答することもできる。
【０１９２】
一方、開始制御部４４は、帯域予約指示部５０を介して無線ＡＰ２，２…から受信した通信帯域の予約処理の結果、近傍の無線ＡＰ２のエリア内の端末装置１，１…に対して通信帯域を予約できた端末装置１が無いと判断した場合、次に近傍の無線ＡＰ２のＩＰアドレスを無線ＡＰ位置管理部５５を介して位置管理テーブル５５ａから取得する。具体的には、無線ＡＰ位置管理部５５は、位置管理テーブル５５ａの近傍の無線ＡＰのＩＰアドレスの欄の２番目に登録されている無線ＡＰ２のＩＰアドレスを取得し、開始制御部４４へ通知する。開始制御部４４は、無線ＡＰ位置管理部５５から取得した次に近傍の無線ＡＰ２のＩＰアドレスに基づいて、この無線ＡＰ２のエリア内の端末装置１，１…に対する通信帯域の予約処理の実行を帯域予約指示部５０に指示する。
【０１９３】
帯域予約指示部５０は、開始制御部４４から指示された各無線ＡＰ２，２…の帯域管理部２８に対して、各端末装置１，１…が通信を行なうために必要な通信帯域の予約処理の実行を指示し、帯域管理部２８による通信帯域の予約処理の結果を受信する。開始制御部４４は、帯域予約指示部５０を介して無線ＡＰ２，２…から受信した通信帯域の予約処理の結果、通信帯域を予約できた端末装置１が有るか否かを判断し、有ると判断した場合、このグループ着信に対する着信音データを着信音管理部５６を介して着信音管理テーブル５６ａから取得し、通信帯域を予約できた端末装置１に対して、取得した着信音データでの呼出処理を行なうように呼制御部４０へ通知する。
【０１９４】
開始制御部４４は、上述した処理を、近傍の無線ＡＰ２，２…のいずれかのエリア内の端末装置１，１…に対する通信帯域を予約できるまで繰り返し、通信帯域を予約できたいずれかの無線ＡＰ２のエリア内の端末装置１，１…に対して、各グループに対応する着信音データでの呼出処理を呼制御部４０によって実行する。
【０１９５】
これにより、グループ着信を行なう際に各無線ＡＰ２，２…における通信帯域が不足しており、端末装置１を呼び出せない場合、近傍の無線ＡＰ２，２…において通信帯域に余裕があれば、この近傍の無線ＡＰ２，２…のエリア内の端末装置１，１…において代理で呼出処理を行なうことにより、呼出対象を増やすことができ、着信に対して応答できる可能性を高めることができる。また、グループ毎に着信音を変えることにより、各ユーザが着信音によってどのグループに対する着信であるかを容易に把握することができる。
【０１９６】
なお、呼制御部４０による呼出処理の処理対象となった端末装置１，１…のいずれかから受信した応答要求に基づく応答制御部４５による処理、無線ＡＰ２，２…を介して端末装置１，１…から受信した通話切断に基づく終了制御部４６による処理、発信側の端末装置１から受信した発呼キャンセルに基づく中断制御部４７によるキャンセル処理、各無線ＡＰ２，２…における通信帯域の使用状況が変化した場合のリトライ部４８によるリトライ処理等は、上述した実施形態１，２と同様であるので説明を省略する。
【０１９７】
以下に、本実施形態３の呼制御システム１００において、呼制御装置３が発信側の端末装置１から通信要求を受信した場合に発信側の端末装置１及び応答要求した端末装置１間の呼接続を確立する処理についてフローチャートに基づいて説明する。図１５乃至図１７は呼制御装置３による各種処理の手順を示すフローチャートである。なお、以下の処理は、呼制御装置３のＲＯＭ３１又はメモリ部３３に記憶してある制御プログラムに従って制御部３０によって実行される。
【０１９８】
呼制御装置３の制御部３０は、いずれかの無線ＡＰ２を介して発信側の端末装置１から通話要求を受信したか否かを判断しており（Ｓ７１）、受信していないと判断した場合（Ｓ７１：ＮＯ）、受信するまで通常の動作を行なって待機する。通話要求を受信したと判断した場合（Ｓ７１：ＹＥＳ）、制御部３０は、発信側の端末装置１から受信したパケットに基づいて、発信側の端末装置１の電話番号と、受信側の電話番号とを取得する（Ｓ７２）。
【０１９９】
次に制御部３０は、グループ処理を実行し（Ｓ７３）、受信側の電話番号がグループＩＤと一致した場合にグループに属する端末装置１，１…の電話番号を取得する。制御部３０は、電番・ＩＰ対応テーブル３３ｂに登録内容に基づいて、グループテーブル３３ａから取得した各電話番号をそれぞれ対応するＩＰアドレスに変換する（Ｓ７４）。
【０２００】
制御部３０は、グループＩＤと、ステップＳ７４で変換した各端末装置１，１…のＩＰアドレスとを呼出端末管理テーブル３３ｄに登録する（Ｓ７５）。
【０２０１】
制御部３０は、呼出端末管理テーブル３３ｄに登録された各端末装置１，１…に対応する無線ＡＰ２，２…を端末・ＡＰ紐付けテーブル３３ｃの登録内容に基づいて特定すると共に、呼出端末管理テーブル３３ｄに登録されたグループ毎に、各端末装置１，１…に対する通信帯域の予約処理の実行をそれぞれ対応する無線ＡＰ２，２…に指示する（Ｓ７６）。
【０２０２】
制御部３０は、各無線ＡＰ２，２…から通信帯域の予約処理の結果を受信したか否かを判断しており（Ｓ７７）、受信していない場合（Ｓ７７：ＮＯ）、受信するまで待機する。通信帯域の予約処理の結果を受信したと判断した場合（Ｓ７７：ＹＥＳ）、制御部３０は、無線ＡＰ２，２…から受信した予約処理の結果を呼出端末管理テーブル３３ｄに登録する（Ｓ７８）。
【０２０３】
制御部３０は、着信音管理テーブル５６ａを参照し（Ｓ７９）、呼出端末管理テーブル３３ｄに記載されたグループＩＤに適合する着信音データを取得し、呼出端末管理テーブル３３ｄの予約情報の欄にＯＫが登録された端末装置１，１…のＩＰアドレス及びこの端末装置１，１…の最寄りの無線ＡＰ２，２…のＩＰアドレスに基づいて、各無線ＡＰ２，２…を介して各端末装置１，１…に対する呼出処理を実行する（Ｓ８０）。制御部３０は、全ての端末装置１，１…に対する通信帯域を予約できなかった無線ＡＰ２，２…が有るか否かを判断し（Ｓ８１）、無いと判断した場合（Ｓ８１：ＮＯ）、ステップＳ８９へ処理を移行する。
【０２０４】
全ての端末装置１，１…に対する通信帯域を予約できなかった無線ＡＰ２，２…が有ると判断した場合（Ｓ８１：ＹＥＳ）、制御部３０は、この無線ＡＰ２，２…の近傍の無線ＡＰ２のＩＰアドレスを位置管理テーブル５５ａから取得する（Ｓ８２）。制御部３０は、取得したＩＰアドレスに基づいて、この近傍の無線ＡＰ２に、エリア内の端末装置１，１…に対する通信帯域の予約処理の実行を指示する（Ｓ８３）。
【０２０５】
制御部３０は、この近傍の無線ＡＰ２から通信帯域の予約処理の結果を受信したか否かを判断しており（Ｓ８４）、受信していない場合（Ｓ８４：ＮＯ）、受信するまで待機する。通信帯域の予約処理の結果を受信したと判断した場合（Ｓ８４：ＹＥＳ）、制御部３０は、無線ＡＰ２から受信した予約処理の結果に基づいて、通信帯域を予約できた端末装置１が有るか否かを判断する（Ｓ８５）。
【０２０６】
通信帯域を予約できた端末装置１が無いと判断した場合（Ｓ８５：ＮＯ）、制御部３０は、ステップＳ８１で全ての端末装置１，１…に対する通信帯域を予約できなかったと判断された無線ＡＰ２に対する近傍の無線ＡＰ２，２…がまだ有るか否かを、位置管理テーブル５５ａの登録内容に基づいて判断し（Ｓ８６）、近傍の無線ＡＰ２，２…がまだ有ると判断した場合（Ｓ８６：ＹＥＳ）、ステップＳ８２へ処理を移行する。そして、制御部３０は、次に近傍の無線ＡＰ２のＩＰアドレスを位置管理テーブル５５ａから取得し（Ｓ８２）、取得したＩＰアドレスに基づいて、この近傍の無線ＡＰ２に、エリア内の端末装置１，１…に対する通信帯域の予約処理の実行を指示する（Ｓ８３）。なお、近傍の無線ＡＰ２，２…がもう無いと判断した場合（Ｓ８６：ＮＯ）、制御部３０は、ステップＳ８９へ処理を移行する。
【０２０７】
制御部３０は、無線ＡＰ２から受信した予約処理の結果に基づいて、通信帯域を予約できた端末装置１が有ると判断するまで上述したステップＳ８２〜Ｓ８６の処理を繰り返し、通信帯域を予約できた端末装置１が有ると判断した場合（Ｓ８５：ＹＥＳ）、このグループ着信に対する着信音データを着信音管理テーブル５６ａから取得する（Ｓ８７）。そして、制御部３０は、通信帯域を予約できた端末装置１に対して、取得した着信音データでの呼出処理を実行し（Ｓ８８）、ステップＳ８９へ処理を移行する。
【０２０８】
制御部３０は、ステップＳ８０又はＳ８８で実行した呼出処理に対する応答要求を受信したか否かを判断する（Ｓ８９）。制御部３０は、応答要求を受信したと判断した場合（Ｓ８９：ＹＥＳ）、応答要求してきた端末装置１に対して予約しておいた通信帯域の予約確定を無線ＡＰ２に指示し（Ｓ９０）、発信側の端末装置１に、着信に対する応答があることを通知するパケットを送信して発信側の端末装置１と応答してきた端末装置１との間の呼接続を確立する（Ｓ９１）。
【０２０９】
また、制御部３０は、応答要求してきた端末装置１以外の端末装置１，１…に対して予約しておいた通信帯域の予約キャンセルを、それぞれ対応する無線ＡＰ２，２…に指示し（Ｓ９２）、応答要求してきた端末装置１が属するグループ内の各端末装置１，１…に対する呼出処理を終了する（Ｓ９３）。更に、制御部３０は、発信側の端末装置１から受信した通話要求に基づいて呼出端末管理テーブル３３ｄに登録された各情報を消去し（Ｓ９４）、ステップＳ７１で受信した通話要求に対する処理を終了する。なお、制御部３０は、ステップＳ９０，Ｓ９１の処理と、ステップＳ９２，Ｓ９３の処理と、ステップＳ９４の処理とを並行して行なってもよい。
【０２１０】
ステップＳ８９で応答要求を受信していないと判断した場合（Ｓ８９：ＮＯ）、制御部３０は、発信側の端末装置１から発呼キャンセルを受信したか否かを判断する（Ｓ９５）。発呼キャンセルを受信したと判断した場合（Ｓ９５：ＹＥＳ）、制御部３０は、この発信側の端末装置１から受信した通話要求に基づいてステップＳ８０又はＳ８８で呼出対象となった端末装置１，１…に対して予約しておいた通信帯域の予約キャンセルを、それぞれ対応する無線ＡＰ２，２…に指示し（Ｓ９６）、ステップＳ８０又はＳ８８で呼出対象となった端末装置１，１…に対する呼出処理を終了する（Ｓ９７）。
【０２１１】
また、制御部３０は、この発信側の端末装置１から受信した通話要求に基づいて呼出端末管理テーブル３３ｄに登録された各情報を消去し（Ｓ９８）、ステップＳ７１で受信した通話要求に対する処理を終了する。なお、制御部３０は、ステップＳ９６，Ｓ９７の処理と、ステップＳ９８の処理とを並行して行なってもよい。
【０２１２】
ステップＳ９５で発呼キャンセルを受信していないと判断した場合（Ｓ９５：ＮＯ）、制御部３０は、いずれかの端末装置１から通話切断を受信したか否かを判断する（Ｓ９９）。通話切断を受信したと判断した場合（Ｓ９９：ＹＥＳ）、制御部３０は、通話切断を送信してきた端末装置１が通信するために占有していた通信帯域の開放を無線ＡＰ２に指示する（Ｓ１００）。
【０２１３】
制御部３０は、呼出端末管理テーブル３３ｄの無線ＡＰのＩＰアドレスの欄に、端末装置１からの通話切断を転送してきた無線ＡＰ２のＩＰアドレスが登録されており、予約情報の欄に「帯域不足」が登録されている端末装置１，１…があるか否かに基づいて、通信帯域の予約処理のリトライを実行すべきであるか否かを判断する（Ｓ１０１）。
【０２１４】
通信帯域の予約処理のリトライを実行すべきであると判断した場合（Ｓ１０１：ＹＥＳ）、制御部３０は、ステップＳ７６へ処理を戻し、呼出端末管理テーブル３３ｄの無線ＡＰのＩＰアドレスの欄に、端末装置１からの通話切断を転送してきた無線ＡＰ２のＩＰアドレスが登録されており、予約情報の欄に「帯域不足」が登録されている端末装置１，１…に対する通信帯域の予約処理の実行をそれぞれ対応する無線ＡＰ２，２…に指示し（Ｓ７６）、通信帯域の予約処理をリトライする。
【０２１５】
なお、ステップＳ９９で通話切断を受信していないと判断した場合（Ｓ９９：ＮＯ）、及びステップＳ１０１で通信帯域の予約処理のリトライを実行すべきでないと判断した場合（Ｓ１０１：ＮＯ）、制御部３０は、ステップＳ８９へ処理を戻し、上述した処理を繰り返す。
【０２１６】
上述したように、発信側の端末装置１から通話要求があった場合にグループ着信によって呼出対象となるべき端末装置１，１…が、通信帯域に余裕がなく、通信帯域の予約を失敗して呼出処理の対象とならなかった場合であっても、近傍の無線ＡＰ２のエリア内の端末装置１，１…を呼出対象とすることによって、呼出対象の端末装置１，１…の数を増やすことができ、また、呼出候補とする端末装置１，１…の存在する範囲を広げることができるので、着信に対して応答できる可能性を高めることができ、通話機会のロスを抑制することができる。また、各グループ毎に設定してある着信音を出力させることによって、各ユーザは、どのグループに対する着信があるかを把握することができる。従って、通信帯域が不足している無線ＡＰ２のエリア内で通話中のユーザには通話の終了を促すことができる。
【０２１７】
なお、上述した実施形態３の呼制御システム１００は、呼制御装置３が着信音管理テーブル５６ａにおいて各グループ毎に設定された着信音の着信音データを管理する構成であった。しかし、例えば、呼制御システム１００の利用が可能な全ての端末装置１，１…において、着信音を識別するための識別情報と、各識別情報に対応する着信音データとが同一のデータとして格納されている場合、呼制御装置３は、着信音管理テーブル５６ａにおいて着信音データ自体を管理する必要はなく、着信音の識別情報のみを管理すればよい。
【０２１８】
従って、この場合、呼制御装置３は、着信がある旨を通知するパケットに各グループに対応する着信音データを含める必要がなく、各グループに対応する着信音の識別情報を含むパケットを送信すればよい。また、端末装置１，１…は、このように着信音の識別情報を含むパケットを受信した場合、この識別情報に対応する着信音データを自身のメモリから読み出し、スピーカ１５ｂによって出力すればよい。
【０２１９】
以上の実施形態１〜３を含む実施形態に関し、更に以下の付記を開示する。
【０２２０】
（付記１）
複数の端末装置間の呼接続を制御する呼制御装置において、
複数の端末装置の装置情報をグループ毎に記憶するグループ記憶手段と、
一の端末装置に対する呼接続の要求を受け付ける手段と、
呼接続の要求を受け付けた場合、前記一の端末装置が属するグループ内の端末装置の装置情報を前記グループ記憶手段から取得する取得手段と、
該取得手段が取得した装置情報の端末装置との通信に要する通信帯域の予約を依頼する予約依頼手段と、
該予約依頼手段が依頼した予約が成功した端末装置に対して呼出処理を行なう呼出手段と、
該呼出手段による呼出処理に対して一の端末装置からの応答を受け付ける手段と、
前記応答をした端末装置及び前記呼接続の要求をした端末装置間の呼接続の確立を行なう手段と、
前記応答を受け付けるまでの間、前記予約依頼手段が依頼した予約が失敗した通信帯域の予約を前記予約依頼手段に再度依頼させる制御手段と
を備えることを特徴とする呼制御装置。
【０２２１】
（付記２）
前記予約依頼手段は、
前記取得手段が取得した装置情報の端末装置のそれぞれとの通信に要する通信帯域のうちの大きい通信帯域の予約を依頼する手段と、
前記予約が失敗した場合、前記取得手段が取得した装置情報の端末装置のそれぞれとの通信に要する通信帯域のうちの前記大きい通信帯域よりも小さい通信帯域のいずれかを選択する手段と、
選択された通信帯域の予約を依頼する手段とを備え、
前記呼出手段は、予約が成功した通信帯域以下の通信帯域を要する端末装置に対して呼出処理を行なうように構成されていること
を特徴とする付記１に記載の呼制御装置。
【０２２２】
（付記３）
それぞれの端末装置毎に、各端末装置との通信に要する通信帯域の予約が成功したか否かを示す予約情報を記憶する予約情報記憶手段と、
前記予約依頼手段が依頼した予約が成功した場合、予約が成功した通信帯域以下の通信帯域を要する端末装置に対応させて、予約が成功したことを示す予約情報を前記予約情報記憶手段に記憶させる手段と、
前記予約依頼手段が依頼した予約が失敗した場合、予約が失敗した通信帯域以上の通信帯域を要する端末装置に対応させて、予約が失敗したことを示す予約情報を前記予約情報記憶手段に記憶させる手段とを備え、
前記呼出手段は、予約が成功したことを示す予約情報が前記予約情報記憶手段に記憶してある端末装置に対して呼出処理を行なうように構成されており、
前記制御手段は、予約が失敗したことを示す予約情報が前記予約情報記憶手段に記憶してある端末装置との通信に要する通信帯域の予約を前記予約依頼手段に再度依頼させるように構成されていることを特徴とする付記１又は２に記載の呼制御装置。
【０２２３】
（付記４）
通信帯域の使用状況の変化を受け付ける手段及び所定時間を計時する手段の少なくとも一方を備え、
前記制御手段は、通信帯域の使用状況の変化を受け付けた場合、又は所定時間の計時を終了した場合、前記予約依頼手段が依頼した予約が失敗した通信帯域の予約を前記予約依頼手段に再度依頼させるように構成されていることを特徴とする付記１乃至３のいずれかひとつに記載の呼制御装置。
【０２２４】
（付記５）
前記予約依頼手段が依頼した予約が成功した端末装置の数が所定数以下であるか否かを判断する手段を備え、
前記呼出手段は、前記予約が成功した端末装置の数が所定数以下である場合、前記予約が成功した端末装置に対する呼出処理を行なわないように構成されていることを特徴とする付記１乃至４のいずれかひとつに記載の呼制御装置。
【０２２５】
（付記６）
前記予約依頼手段が依頼した予約が失敗した端末装置の数が所定数以上であるか否かを判断する手段と、
前記予約が失敗した端末装置の数が所定数以上である場合、既に呼接続が確立されている端末装置に対して、通信帯域が不足している旨を通知する通知手段とを備えることを特徴とする付記１乃至５のいずれかひとつに記載の呼制御装置。
【０２２６】
（付記７）
前記通知手段は、前記呼接続が確立されている端末装置に対して送信する情報に、通信帯域が不足している旨を示す情報を重畳させる手段を備えることを特徴とする付記６に記載の呼制御装置。
【０２２７】
（付記８）
複数の中継装置のそれぞれを介して端末装置との通信を行なう手段と、
前記中継装置の位置関係を記憶する位置記憶手段と、
前記予約依頼手段が依頼した予約が失敗した端末装置との通信を行なう際に用いる中継装置を検出する手段と、
検出された中継装置の近傍の中継装置を前記位置記憶手段の記憶内容から特定する手段と、
前記近傍の中継装置を介して通信が可能な端末装置との通信に要する通信帯域の予約を前記予約依頼手段に依頼させる手段と、
前記予約が成功した端末装置に対する呼出処理を前記呼出手段に行なわせる手段と
を備えることを特徴とする付記１乃至７のいずれかひとつに記載の呼制御装置。
【０２２８】
（付記９）
前記グループ記憶手段に記憶してあるグループ毎に着信音を記憶する着信音記憶手段と、
呼接続を要求された端末装置が属するグループの着信音を前記着信音記憶手段から取得する手段とを備え、
前記呼出手段は、前記予約依頼手段が依頼した予約が成功した端末装置に対して、前記着信音記憶手段から取得した着信音での呼出処理を行なうように構成されていることを特徴とする付記８に記載の呼制御装置。
【０２２９】
（付記１０）
コンピュータに、複数の端末装置間の呼接続を制御させるためのコンピュータプログラムにおいて、
コンピュータに、
一の端末装置に対する呼接続の要求を受け付けるステップと、
呼接続の要求を受け付けた場合、前記一の端末装置が属するグループ内の端末装置の装置情報を取得する取得ステップと、
該取得ステップで取得した装置情報の端末装置との通信に要する通信帯域の予約を依頼する予約依頼ステップと、
該予約依頼ステップで依頼した予約が成功した端末装置に対して呼出処理を行なう呼出ステップと、
前記呼出処理に対して一の端末装置からの応答を受け付けるステップと、
前記応答をした端末装置及び前記呼接続の要求をした端末装置間の呼接続の確立を行なうステップと、
前記応答を受け付けるまでの間、前記予約依頼ステップで依頼した予約が失敗した通信帯域の予約を再度依頼するステップと
を実行させるためのコンピュータプログラム。
【０２３０】
（付記１１）
前記予約依頼ステップは、
前記取得ステップで取得した装置情報の端末装置のそれぞれとの通信に要する通信帯域のうちの大きい通信帯域の予約を依頼するステップと、
前記予約が失敗した場合、前記取得ステップで取得した装置情報の端末装置のそれぞれとの通信に要する通信帯域のうちの前記大きい通信帯域よりも小さい通信帯域のいずれかを選択するステップと、
選択された通信帯域の予約を依頼するステップとを含み、
前記呼出ステップは、予約が成功した通信帯域以下の通信帯域を要する端末装置に対して呼出処理を行なうことを特徴とする付記１０に記載のコンピュータプログラム。
【０２３１】
（付記１２）
前記コンピュータは、それぞれの端末装置毎に、各端末装置との通信に要する通信帯域の予約が成功したか否かを示す予約情報を記憶する予約情報記憶手段を備え、
前記コンピュータに、
前記予約依頼ステップで依頼した予約が成功した場合、予約が成功した通信帯域以下の通信帯域を要する端末装置に対応させて、予約が成功したことを示す予約情報を前記予約情報記憶手段に記憶させるステップと、
前記予約依頼ステップで依頼した予約が失敗した場合、予約が失敗した通信帯域以上の通信帯域を要する端末装置に対応させて、予約が失敗したことを示す予約情報を前記予約情報記憶手段に記憶させるステップと、
予約が成功したことを示す予約情報が前記予約情報記憶手段に記憶してある端末装置に対して呼出処理を行なうステップと、
予約が失敗したことを示す予約情報が前記予約情報記憶手段に記憶してある端末装置との通信に要する通信帯域の予約を再度依頼するステップと
を実行させるための付記１０又１１に記載のコンピュータプログラム。
【０２３２】
（付記１３）
前記コンピュータに、
通信帯域の使用状況の変化を受け付けた場合、又は所定時間の計時を終了した場合、前記予約依頼ステップで依頼した予約が失敗した通信帯域の予約を再度依頼するステップを実行させるための付記１０乃至１２のいずれかひとつに記載のコンピュータプログラム。
【０２３３】
（付記１４）
前記コンピュータに、
前記予約依頼ステップで依頼した予約が成功した端末装置の数が所定数以下であるか否かを判断するステップと、
前記予約が成功した端末装置の数が所定数以下である場合、前記予約が成功した端末装置に対する呼出処理を禁止するステップと
を実行させるための付記１０乃至１３のいずれかひとつに記載のコンピュータプログラム。
【０２３４】
（付記１５）
前記コンピュータに、
前記予約依頼ステップで依頼した予約が失敗した端末装置の数が所定数以上であるか否かを判断するステップと、
前記予約が失敗した端末装置の数が所定数以上である場合、既に呼接続が確立されている端末装置に対して、通信帯域が不足している旨を通知する通知ステップと
を実行させるための付記１０乃至１４のいずれかひとつに記載のコンピュータプログラム。
【０２３５】
（付記１６）
前記通知ステップは、前記呼接続が確立されている端末装置に対して送信する情報に、通信帯域が不足している旨を示す情報を重畳させることを特徴とする付記１５に記載のコンピュータプログラム。
【０２３６】
（付記１７）
前記コンピュータに、
複数の中継装置のそれぞれを介して端末装置との通信を行なうステップと、
前記予約依頼ステップで依頼した予約が失敗した端末装置との通信を行なう際に用いる中継装置を検出するステップと、
検出された中継装置の近傍の中継装置を特定するステップと、
前記近傍の中継装置を介して通信が可能な端末装置との通信に要する通信帯域の予約を依頼するステップと、
前記予約が成功した端末装置に対する呼出処理を行なうステップと
を実行させるための付記１０乃至１６のいずれかひとつに記載のコンピュータプログラム。
【０２３７】
（付記１８）
前記コンピュータに、
呼接続を要求された端末装置が属するグループの着信音を取得するステップと、
前記予約依頼ステップで依頼した予約が成功した端末装置に対して、取得した前記着信音での呼出処理を行なうステップと
を実行させるための付記１７に記載のコンピュータプログラム。
【０２３８】
（付記１９）
複数の端末装置間の呼接続を制御する呼制御方法において、
一の端末装置に対する呼接続の要求を受け付けるステップと、
呼接続の要求を受け付けた場合、前記一の端末装置が属するグループ内の端末装置の装置情報を取得する取得ステップと、
該取得ステップで取得した装置情報の端末装置との通信に要する通信帯域の予約を依頼する予約依頼ステップと、
該予約依頼ステップで依頼した予約が成功した端末装置に対して呼出処理を行なう呼出ステップと、
前記呼出処理に対して一の端末装置からの応答を受け付けるステップと、
前記応答をした端末装置及び前記呼接続の要求をした端末装置間の呼接続の確立を行なうステップと、
前記応答を受け付けるまでの間、前記予約依頼ステップで依頼した予約が失敗した通信帯域の予約を再度依頼するステップと
を含むことを特徴とする呼制御方法。
【０２３９】
（付記２０）
前記予約依頼ステップは、
前記取得ステップで取得した装置情報の端末装置のそれぞれとの通信に要する通信帯域のうちの大きい通信帯域の予約を依頼するステップと、
前記予約が失敗した場合、前記取得ステップで取得した装置情報の端末装置のそれぞれとの通信に要する通信帯域のうちの前記大きい通信帯域よりも小さい通信帯域のいずれかを選択するステップと、
選択された通信帯域の予約を依頼するステップとを含み、
前記呼出ステップは、予約が成功した通信帯域以下の通信帯域を要する端末装置に対して呼出処理を行なうことを特徴とする付記１９に記載の呼制御方法。
【０２４０】
（付記２１）
通信を行なう複数の端末装置を備え、該端末装置間の呼接続を制御する呼制御システムにおいて、
複数の端末装置の装置情報をグループ毎に記憶するグループ記憶手段と、
一の端末装置に対する呼接続の要求を受け付ける手段と、
呼接続の要求を受け付けた場合、前記一の端末装置が属するグループ内の端末装置の装置情報を前記グループ記憶手段から取得する取得手段と、
該取得手段が取得した装置情報の端末装置との通信に要する通信帯域の予約を依頼する予約依頼手段と、
該予約依頼手段が依頼した予約が成功した端末装置に対して呼出処理を行なう呼出手段とを備え、
前記端末装置は、前記呼制御装置による呼出処理に対して応答を行なう手段を備え、
前記呼出手段による呼出処理に対して一の端末装置からの応答を受け付ける手段と、
前記応答をした端末装置及び前記呼接続の要求をした端末装置間の呼接続の確立を行なう手段と、
前記応答を受け付けるまでの間、前記予約依頼手段が依頼した予約が失敗した通信帯域の予約を前記予約依頼手段に再度依頼させる制御手段とを備えることを特徴とする呼制御システム。
【０２４１】
（付記２２）
前記予約依頼手段は、
前記取得手段が取得した装置情報の端末装置のそれぞれとの通信に要する通信帯域のうちの大きい通信帯域の予約を依頼する手段と、
前記予約が失敗した場合、前記取得手段が取得した装置情報の端末装置のそれぞれとの通信に要する通信帯域のうちの前記大きい通信帯域よりも小さい通信帯域のいずれかを選択する手段と、
選択された通信帯域の予約を依頼する手段とを備え、
前記呼出手段は、予約が成功した通信帯域以下の通信帯域を要する端末装置に対して呼出処理を行なうように構成されていること
を特徴とする付記２１に記載の呼制御システム。
【図面の簡単な説明】
【０２４２】
【図１】実施形態１に係る呼制御システムの構成例を示す模式図である。
【図２】実施形態１に係る端末装置及び無線ＡＰの構成例を示すブロック図である。
【図３】無線ＡＰのメモリ部に記憶されている各テーブルの登録内容を示す模式図である。
【図４】実施形態１に係る呼制御装置の構成例を示すブロック図である。
【図５】呼制御装置のメモリ部に記憶されている各テーブルの登録内容を示す模式図である。
【図６】実施形態１に係る呼制御装置及び無線ＡＰの機能構成を示すブロック図である。
【図７】呼制御装置による各種処理の手順を示すフローチャートである。
【図８】呼制御装置による各種処理の手順を示すフローチャートである。
【図９】実施形態２に係る呼制御装置及び無線ＡＰの機能構成を示すブロック図である。
【図１０】呼制御装置による各種処理の手順を示すフローチャートである。
【図１１】呼制御装置による各種処理の手順を示すフローチャートである。
【図１２】無線ＡＰによるガイダンスの挿入処理の手順を示すフローチャートである。
【図１３】実施形態３に係る呼制御装置及び無線ＡＰの機能構成を示すブロック図である。
【図１４】呼制御装置のメモリ部に記憶されている各テーブルの登録内容を示す模式図である。
【図１５】呼制御装置による各種処理の手順を示すフローチャートである。
【図１６】呼制御装置による各種処理の手順を示すフローチャートである。
【図１７】呼制御装置による各種処理の手順を示すフローチャートである。
【符号の説明】
【０２４３】
１００  呼制御システム
１  端末装置
２  無線ＡＰ（中継装置）
３  呼制御装置
３０  制御部
３３ａ  グループテーブル（グループ記憶手段）
３３ｄ  呼出端末管理テーブル（予約情報記憶手段）
４０  呼制御部（呼出手段）
４１  グループ処理部（取得手段）
４８  リトライ部（制御手段）
５０  帯域予約指示部（予約依頼手段）
５５ａ  位置管理テーブル（位置記憶手段）
５６ａ  着信音管理テーブル（着信音記憶手段）
【図１】
0005071049.tif 000002
【図２】
0005071049.tif 000003
【図３】
0005071049.tif 000004
【図４】
0005071049.tif 000005
【図５】
0005071049.tif 000006
【図６】
0005071049.tif 000007
【図７】
0005071049.tif 000008
【図８】
0005071049.tif 000009
【図９】
0005071049.tif 000010
【図１０】
0005071049.tif 000011
【図１１】
0005071049.tif 000012
【図１２】
0005071049.tif 000013
【図１３】
0005071049.tif 000014
【図１４】
0005071049.tif 000015
【図１５】
0005071049.tif 000016
【図１６】
0005071049.tif 000017
【図１７】
0005071049.tif 000018